(57)【要約】【課題】冷媒を蒸発させる蒸発器の数が増える運転モードに移行する際の圧縮機の能力不足を未然に回避することができる車両用空気調和装置を提供する。【解決手段】制御装置は少なくとも、吸熱器９にて冷媒を蒸発させる冷房モードと、この吸熱器９と冷媒−熱媒体熱交換器６４にて冷媒を蒸発させる空調（優先）＋バッテリ冷却モードを切り換えて実行する。冷房モードから空調（優先）＋バッテリ冷却モードに移行する際、当該空調（優先）＋バッテリ冷却モードに移行する前に、圧縮機２の回転数を上昇させる圧縮機回転数上昇制御を実行する。【選択図】図１
2020083099.tif 000002
【特許請求の範囲】
【請求項１】
冷媒を圧縮する圧縮機と、
冷媒を蒸発させるための複数の蒸発器と、
制御装置を少なくとも備えて車室内を空調する車両用空気調和装置において、
前記制御装置は少なくとも、
前記蒸発器にて冷媒を蒸発させる第１の運転モードと、
該第１の運転モードより多い数の前記蒸発器にて冷媒を蒸発させる第２の運転モードを切り換えて実行すると共に、
前記第１の運転モードから前記第２の運転モードに移行する際、当該第２の運転モードに移行する前に、前記圧縮機の回転数を上昇させる圧縮機回転数上昇制御を実行することを特徴とする車両用空気調和装置。
【請求項２】
冷媒を蒸発させて前記車室内に供給する空気を冷却するための前記蒸発器としての吸熱器と、
冷媒を蒸発させて車両に搭載された被温調対象を冷却するための前記蒸発器としての被温調対象用熱交換器を備え、
前記制御装置は、
前記第１の運転モードにおいて、前記吸熱器と前記被温調対象用熱交換器のうちの何れか一方で冷媒を蒸発させると共に、
前記第２の運転モードにおいては、前記吸熱器及び前記被温調対象用熱交換器で冷媒を蒸発させることを特徴とする請求項１に記載の車両用空気調和装置。
【請求項３】
前記吸熱器への冷媒の流通を制御する吸熱器用弁装置と、
前記被温調対象用熱交換器への冷媒の流通を制御する被温調対象用弁装置を備え、
前記制御装置は、
前記第１の運転モードにおいて、前記吸熱器用弁装置と前記被温調対象用弁装置のうちの何れか一方を開き、他方を閉じると共に、
前記第２の運転モードにおいては、前記吸熱器用弁装置及び前記被温調対象用弁装置を開くことを特徴とする請求項２に記載の車両用空気調和装置。
【請求項４】
前記制御装置は、
前記第１の運転モードとして、
前記吸熱器用弁装置を開き、前記吸熱器の温度に基づいて前記圧縮機の回転数を制御し、前記被温調対象用弁装置を閉じる空調（単独）モードと、
前記被温調対象用弁装置を開き、前記被温調対象用熱交換器又はそれにより冷却される対象の温度に基づいて前記圧縮機の回転数を制御し、前記吸熱器用弁装置を閉じる被温調対象冷却（単独）モードを有すると共に、
前記第２の運転モードとして、
前記吸熱器用弁装置を開き、前記吸熱器の温度に基づいて前記圧縮機の回転数を制御し、前記被温調対象用熱交換器又はそれにより冷却される対象の温度に基づいて前記被温調対象用弁装置を開閉制御する空調（優先）＋被温調対象冷却モードと、
前記被温調対象用弁装置を開き、前記被温調対象用熱交換器又はそれにより冷却される対象の温度に基づいて前記圧縮機の回転数を制御し、前記吸熱器の温度に基づいて前記吸熱器用弁装置を開閉制御する被温調対象冷却（優先）＋空調モードを有し、
前記空調（単独）モードから前記空調（優先）＋被温調対象冷却モードに移行する際、及び、前記被温調対象冷却（単独）モードから前記被温調対象冷却（優先）＋空調モードに移行する際、前記圧縮機回転数上昇制御を実行することを特徴とする請求項３に記載の車両用空気調和装置。
【請求項５】
前記制御装置は、前記空調（単独）モードでは前記吸熱器の目標温度に基づくフィードフォワード演算により前記圧縮機の目標回転数を算出し、前記被温調対象冷却（単独）モードでは前記被温調対象用熱交換器又はそれにより冷却される対象の目標温度に基づくフィードフォワード演算により前記圧縮機の目標回転数を算出すると共に、
前記圧縮機回転数上昇制御では、前記各目標温度を低下させることにより、前記圧縮機の目標回転数を上昇させることを特徴とする請求項４に記載の車両用空気調和装置。
【請求項６】
前記制御装置は、前記空調（単独）モード、又は、前記被温調対象冷却（単独）モードにおいて、所定のモード移行要求が入力された場合、前記圧縮機回転数上昇制御により前記圧縮機の回転数を上昇させた後、前記空調（優先）＋被温調対象冷却モード、又は、前記被温調対象冷却（優先）＋空調モードに移行することを特徴とする請求項４又は請求項５に記載の車両用空気調和装置。
【請求項７】
前記被温調対象は前記車両に搭載されたバッテリであり、前記車両の走行用モータは前記バッテリからの給電により駆動され、
前記制御装置は、前記空調（単独）モードにおいて、所定のモード移行要求が入力された場合、前記空調（優先）＋被温調対象冷却モードに移行すると共に、
前記空調（単独）モードにおいて、前記走行用モータの出力が所定の閾値以上となった場合、又は、前記走行用モータの出力が上昇する傾きが所定の閾値以上となった場合、前記圧縮機回転数上昇制御を実行することを特徴とする請求項４又は請求項５に記載の車両用空気調和装置。
【請求項８】
前記制御装置は、前記空調（単独）モードにおいて、所定のモード移行要求が入力された場合、前記空調（優先）＋被温調対象冷却モードに移行すると共に、
前記空調（単独）モードにおいて、前記被温調対象の温度が上昇する傾きが所定の閾値以上となった場合、前記圧縮機回転数上昇制御を実行することを特徴とする請求項４、請求項５又は請求項７のうちの何れかに記載の車両用空気調和装置。
【請求項９】
前記制御装置は、前記空調（単独）モードにおいて、所定のモード移行要求が入力された場合、前記空調（優先）＋被温調対象冷却モードに移行すると共に、
前記空調（単独）モードにおいて、前記被温調対象の発熱量が上昇する傾きが所定の閾値以上となった場合、前記圧縮機回転数上昇制御を実行することを特徴とする請求項４、請求項５、請求項７又は請求項８のうちの何れかに記載の車両用空気調和装置。
【請求項１０】
前記制御装置は、前記空調（単独）モードにおいて、所定のモード移行要求が入力された場合、前記空調（優先）＋被温調対象冷却モードに移行すると共に、
前記空調（単独）モードにおいて、ナビゲーション情報から前記被温調対象の温度が上昇すると予測される場合、前記圧縮機回転数上昇制御を実行することを特徴とする請求項４、請求項５、請求項７乃至請求項９のうちの何れかに記載の車両用空気調和装置。
【請求項１１】
前記吸熱器と熱交換した空気を前記車室内に送給するための室内送風機を備え、
前記制御装置は、前記空調（単独）モードから前記空調（優先）＋被温調対象冷却モードに移行する際の前記圧縮機回転数上昇制御を実行する場合、前記室内送風機の運転を抑制することを特徴とする請求項４乃至請求項１０のうちの何れかに記載の車両用空気調和装置。
【請求項１２】
前記冷媒を放熱させて車室内に供給する空気を加熱するための放熱器と、
前記吸熱器を経た空気が前記放熱器に通風される割合を調整するためのエアミックスダンパを備え、
前記制御装置は、前記空調（単独）モードから前記空調（優先）＋被温調対象冷却モードに移行する際の前記圧縮機回転数上昇制御を実行する場合、前記エアミックスダンパにより前記車室内に供給される空気の温度低下を抑制することを特徴とする請求項４乃至請求項１１のうちの何れかに記載の車両用空気調和装置。
【発明の詳細な説明】
【技術分野】
【０００１】
本発明は、車両の車室内を空調するヒートポンプ方式の空気調和装置に関するものである。
【背景技術】
【０００２】
近年の環境問題の顕在化から、車両に搭載されたバッテリから供給される電力で走行用モータを駆動する電気自動車やハイブリッド自動車等の車両が普及するに至っている。そして、このような車両に適用することができる空気調和装置として、圧縮機と、放熱器と、吸熱器（蒸発器）と、室外熱交換器が接続された冷媒回路を備え、圧縮機から吐出された冷媒を放熱器において放熱させ、この放熱器において放熱した冷媒を室外熱交換器において蒸発（吸熱）させることで暖房し、圧縮機から吐出された冷媒を室外熱交換器において放熱させ、吸熱器において蒸発（吸熱）させることで冷房する等して車室内を空調するものが開発されている（例えば、特許文献１参照）。
【０００３】
一方、例えばバッテリは充放電による自己発熱等で高温となった環境下で使用されると性能が低下すると共に、劣化が進行し、やがては作動不良を起こして破損する危険性がある。そこで、バッテリを冷却するための熱交換器（蒸発器）を設け、冷媒回路を循環する冷媒をこの熱交換器に循環させることでバッテリを冷却することができるようにしたものも開発されている（例えば、特許文献２、特許文献３参照）。
【先行技術文献】
【特許文献】
【０００４】
【特許文献１】特開２０１４−２１３７６５号公報
【特許文献２】特許第５８６０３６０号公報
【特許文献３】特許第５８６０３６１号公報
【発明の概要】
【発明が解決しようとする課題】
【０００５】
上記のように、複数の蒸発器を有する車両用空気調和装置では、例えば、吸熱器（蒸発器）で冷媒を蒸発させて車室内を空調している運転モードから被温調対象の冷却が必要となって被温調対象用熱交換器（蒸発器）にも冷媒を流す運転モードに移行した直後は、それらを含む熱交換の経路が増えるため、圧縮機の能力（回転数）が不足する状態となり、車室内に吹き出される空気の温度が一時的に高くなってしまうと共に、被温調対象の冷却も遅延するようになる。
【０００６】
また、被温調対象用熱交換器（蒸発器）に冷媒を流す運転モードから車室内の冷房を必要となって吸熱器（蒸発器）にも冷媒を流す運転モードに移行した直後も、圧縮機の能力が不足する状態となるため、車室内の空調が遅延すると共に、被温調対象の冷却能力も一時的に低下し、何れの場合にも使用者に不快感を与え、被温調対象の冷却にも支障を来すという問題があった。
【０００７】
本発明は、係る従来の技術的課題を解決するために成されたものであり、冷媒を蒸発させる蒸発器の数が増える運転モードに移行する際の圧縮機の能力不足を未然に回避することができる車両用空気調和装置を提供することを目的とする。
【課題を解決するための手段】
【０００８】
本発明の車両用空気調和装置は、冷媒を圧縮する圧縮機と、冷媒を蒸発させるための複数の蒸発器と、制御装置を少なくとも備えて車室内を空調するものであって、制御装置は少なくとも、蒸発器にて冷媒を蒸発させる第１の運転モードと、この第１の運転モードより多い数の蒸発器にて冷媒を蒸発させる第２の運転モードを切り換えて実行すると共に、第１の運転モードから第２の運転モードに移行する際、当該第２の運転モードに移行する前に、圧縮機の回転数を上昇させる圧縮機回転数上昇制御を実行することを特徴とする。
【０００９】
請求項２の発明の車両用空気調和装置は、上記発明において冷媒を蒸発させて車室内に供給する空気を冷却するための蒸発器としての吸熱器と、冷媒を蒸発させて車両に搭載された被温調対象を冷却するための蒸発器としての被温調対象用熱交換器を備え、制御装置は、第１の運転モードにおいて、吸熱器と被温調対象用熱交換器のうちの何れか一方で冷媒を蒸発させると共に、第２の運転モードにおいては、吸熱器及び被温調対象用熱交換器で冷媒を蒸発させることを特徴とする。
【００１０】
請求項３の発明の車両用空気調和装置は、上記発明において吸熱器への冷媒の流通を制御する吸熱器用弁装置と、被温調対象用熱交換器への冷媒の流通を制御する被温調対象用弁装置を備え、制御装置は、第１の運転モードにおいて、吸熱器用弁装置と被温調対象用弁装置のうちの何れか一方を開き、他方を閉じると共に、第２の運転モードにおいては、吸熱器用弁装置及び被温調対象用弁装置を開くことを特徴とする。
【００１１】
請求項４の発明の車両用空気調和装置は、上記発明において制御装置は、第１の運転モードとして、吸熱器用弁装置を開き、吸熱器の温度に基づいて圧縮機の回転数を制御し、被温調対象用弁装置を閉じる空調（単独）モードと、被温調対象用弁装置を開き、被温調対象用熱交換器又はそれにより冷却される対象の温度に基づいて圧縮機の回転数を制御し、吸熱器用弁装置を閉じる被温調対象冷却（単独）モードを有すると共に、第２の運転モードとして、吸熱器用弁装置を開き、吸熱器の温度に基づいて圧縮機の回転数を制御し、被温調対象用熱交換器又はそれにより冷却される対象の温度に基づいて被温調対象用弁装置を開閉制御する空調（優先）＋被温調対象冷却モードと、被温調対象用弁装置を開き、被温調対象用熱交換器又はそれにより冷却される対象の温度に基づいて圧縮機の回転数を制御し、吸熱器の温度に基づいて吸熱器用弁装置を開閉制御する被温調対象冷却（優先）＋空調モードを有し、空調（単独）モードから空調（優先）＋被温調対象冷却モードに移行する際、及び、被温調対象冷却（単独）モードから被温調対象冷却（優先）＋空調モードに移行する際、圧縮機回転数上昇制御を実行することを特徴とする。
【００１２】
請求項５の発明の車両用空気調和装置は、上記発明において制御装置は、空調（単独）モードでは吸熱器の目標温度に基づくフィードフォワード演算により圧縮機の目標回転数を算出し、被温調対象冷却（単独）モードでは被温調対象用熱交換器又はそれにより冷却される対象の目標温度に基づくフィードフォワード演算により圧縮機の目標回転数を算出すると共に、圧縮機回転数上昇制御では、各目標温度を低下させることにより、圧縮機の目標回転数を上昇させることを特徴とする。
【００１３】
請求項６の発明の車両用空気調和装置は、請求項４又は請求項５の発明において制御装置は、空調（単独）モード、又は、被温調対象冷却（単独）モードにおいて、所定のモード移行要求が入力された場合、圧縮機回転数上昇制御により圧縮機の回転数を上昇させた後、空調（優先）＋被温調対象冷却モード、又は、被温調対象冷却（優先）＋空調モードに移行することを特徴とする。
【００１４】
請求項７の発明の車両用空気調和装置は、請求項４又は請求項５の発明において被温調対象は車両に搭載されたバッテリであり、車両の走行用モータはバッテリからの給電により駆動され、制御装置は、空調（単独）モードにおいて、所定のモード移行要求が入力された場合、空調（優先）＋被温調対象冷却モードに移行すると共に、空調（単独）モードにおいて、走行用モータの出力が所定の閾値以上となった場合、又は、走行用モータの出力が上昇する傾きが所定の閾値以上となった場合、圧縮機回転数上昇制御を実行することを特徴とする。
【００１５】
請求項８の発明の車両用空気調和装置は、請求項４、請求項５又は請求項７の発明において制御装置は、空調（単独）モードにおいて、所定のモード移行要求が入力された場合、空調（優先）＋被温調対象冷却モードに移行すると共に、空調（単独）モードにおいて、被温調対象の温度が上昇する傾きが所定の閾値以上となった場合、圧縮機回転数上昇制御を実行することを特徴とする。
【００１６】
請求項９の発明の車両用空気調和装置は、請求項４、請求項５、請求項７又は請求項８の発明において制御装置は、空調（単独）モードにおいて、所定のモード移行要求が入力された場合、空調（優先）＋被温調対象冷却モードに移行すると共に、空調（単独）モードにおいて、被温調対象の発熱量が上昇する傾きが所定の閾値以上となった場合、圧縮機回転数上昇制御を実行することを特徴とする。
【００１７】
請求項１０の発明の車両用空気調和装置は、請求項４、請求項５、請求項７乃至請求項９の発明において制御装置は、空調（単独）モードにおいて、所定のモード移行要求が入力された場合、空調（優先）＋被温調対象冷却モードに移行すると共に、空調（単独）モードにおいて、ナビゲーション情報から被温調対象の温度が上昇すると予測される場合、圧縮機回転数上昇制御を実行することを特徴とする。
【００１８】
請求項１１の発明の車両用空気調和装置は、請求項４乃至請求項１０の発明において吸熱器と熱交換した空気を車室内に送給するための室内送風機を備え、制御装置は、空調（単独）モードから空調（優先）＋被温調対象冷却モードに移行する際の圧縮機回転数上昇制御を実行する場合、室内送風機の運転を抑制することを特徴とする。
【００１９】
請求項１２の発明の車両用空気調和装置は、請求項４乃至請求項１１の発明において冷媒を放熱させて車室内に供給する空気を加熱するための放熱器と、吸熱器を経た空気が放熱器に通風される割合を調整するためのエアミックスダンパを備え、制御装置は、空調（単独）モードから空調（優先）＋被温調対象冷却モードに移行する際の圧縮機回転数上昇制御を実行する場合、エアミックスダンパにより車室内に供給される空気の温度低下を抑制することを特徴とする。
【発明の効果】
【００２０】
本発明によれば、冷媒を圧縮する圧縮機と、冷媒を蒸発させるための複数の蒸発器と、制御装置を少なくとも備えて車室内を空調する車両用空気調和装置において、制御装置が少なくとも、蒸発器にて冷媒を蒸発させる第１の運転モードと、この第１の運転モードより多い数の蒸発器にて冷媒を蒸発させる第２の運転モードを切り換えて実行すると共に、第１の運転モードから第２の運転モードに移行する際、当該第２の運転モードに移行する前に、圧縮機の回転数を上昇させる圧縮機回転数上昇制御を実行するようにしたので、第１の運転モードから第２の運転モードに移行した直後の圧縮機の能力（回転数）不足を解消し、信頼性と商品性を向上させることができるようになる。
【００２１】
例えば、請求項２の発明の如く、冷媒を蒸発させて車室内に供給する空気を冷却するための吸熱器と、冷媒を蒸発させて車両に搭載された被温調対象を冷却するための被温調対象用熱交換器を蒸発器として設け、制御装置が、第１の運転モードにおいて、吸熱器と被温調対象用熱交換器のうちの何れか一方で冷媒を蒸発させると共に、第２の運転モードにおいては、吸熱器及び被温調対象用熱交換器で冷媒を蒸発させるようにすれば、第１の運転モードでは車室内の空調と被温調対象の冷却をそれぞれ行い、第２の運転モードでは車室内を空調しながら被温調対象の冷却を行うことができるようになる。そして、吸熱器又は被温調対象用熱交換器で冷媒が蒸発する第１の運転モードから、吸熱器と被温調対象用熱交換器の双方で冷媒が蒸発する第２の運転モードに移行する際、圧縮機回転数上昇制御を実行することで、第１の運転モードから第２の運転モードに移行した直後に、圧縮機の能力が不足する状態に陥る不都合を回避することができるようになる。
【００２２】
この場合、請求項３の発明の如く吸熱器への冷媒の流通を制御する吸熱器用弁装置と、被温調対象用熱交換器への冷媒の流通を制御する被温調対象用弁装置を設け、制御装置が、第１の運転モードにおいて、吸熱器用弁装置と被温調対象用弁装置のうちの何れか一方を開き、他方を閉じると共に、第２の運転モードにおいては、吸熱器用弁装置及び被温調対象用弁装置を開くことで、第１の運転モードと第２の運転モードを円滑に実行することができるようになる。
【００２３】
更に、請求項４の発明の如く制御装置が、第１の運転モードとして、吸熱器用弁装置を開き、吸熱器又の温度に基づいて圧縮機の回転数を制御し、被温調対象用弁装置を閉じる空調（単独）モードと、被温調対象用弁装置を開き、被温調対象用熱交換器又はそれにより冷却される対象の温度に基づいて圧縮機の回転数を制御し、吸熱器用弁装置を閉じる被温調対象冷却（単独）モードを実行するようにすれば、車室内の空調と、被温調対象の冷却を円滑に行うことができるようになる。
【００２４】
また、第２の運転モードとして、吸熱器用弁装置を開き、吸熱器の温度に基づいて圧縮機の回転数を制御し、被温調対象用熱交換器又はそれにより冷却される対象の温度に基づいて被温調対象用弁装置を開閉制御する空調（優先）＋被温調対象冷却モードと、被温調対象用弁装置を開き、被温調対象用熱交換器又はそれにより冷却される対象の温度に基づいて圧縮機の回転数を制御し、吸熱器の温度に基づいて吸熱器用弁装置を開閉制御する被温調対象冷却（優先）＋空調モードを実行するようにすれば、車室内の空調を行いながら被温調対象の冷却を行うなかで、状況に応じて車室内の空調を優先するか、被温調対象の冷却を優先するかを切り換え、快適な車室内空調と効果的な被温調対象の冷却を実現することができるようになる。
【００２５】
そして、空調（単独）モードから空調（優先）＋被温調対象冷却モードに移行する際、及び、被温調対象冷却（単独）モードから被温調対象冷却（優先）＋空調モードに移行する際、圧縮機回転数上昇制御を実行することで、空調（単独）モードから空調（優先）＋被温調対象冷却モードに移行した直後に車室内に吹き出される空気の温度が上昇し、使用者が不快感を覚える不都合や、被温調対象冷却（単独）モードから被温調対象冷却（優先）＋空調モードに移行した直後に被温調対象の冷却性能が低下する不都合を未然に回避して、車室内の空調と被温調対象の冷却の両立性を高めることができるようになる。
【００２６】
この場合、例えば、請求項５の発明の如く制御装置が、空調（単独）モードでは吸熱器の目標温度に基づくフィードフォワード演算により圧縮機の目標回転数を算出し、被温調対象冷却（単独）モードでは被温調対象用熱交換器又はそれにより冷却される対象の目標温度に基づくフィードフォワード演算により圧縮機の目標回転数を算出すると共に、圧縮機回転数上昇制御では、各目標温度を低下させることにより、圧縮機の目標回転数を上昇させることで、空調（単独）モードや被温調対象冷却（単独）モードにおいて、圧縮機回転数上昇制御により的確に圧縮機の回転数を上昇させることができるようになる。
【００２７】
そして、請求項６の発明の如く制御装置が、空調（単独）モード、又は、被温調対象冷却（単独）モードにおいて、所定のモード移行要求が入力された場合、圧縮機回転数上昇制御により圧縮機の回転数を上昇させた後、空調（優先）＋被温調対象冷却モード、又は、被温調対象冷却（優先）＋空調モードに移行することで、空調（優先）＋被温調対象冷却モードや被温調対象冷却（優先）＋空調モードに移行する前に、確実に圧縮機の回転数を上昇させておくことができるようになる。
【００２８】
他方、被温調対象が車両に搭載されたバッテリであり、車両の走行用モータがバッテリからの給電により駆動され、制御装置が、空調（単独）モードにおいて、所定のモード移行要求が入力されたときに、空調（優先）＋被温調対象冷却モードに移行するようにした場合、空調（単独）モードにおいて走行用モータの出力が高くなった場合には、バッテリの温度が上昇するため、その後、空調（優先）＋被温調対象冷却モードに移行することが予想される。
【００２９】
そのような場合には、請求項７の発明の如く制御装置が、空調（単独）モードにおいて走行用モータの出力が所定の閾値以上となった場合、又は、走行用モータの出力が上昇する傾きが所定の閾値以上となった場合、圧縮機回転数上昇制御を実行するようにすれば、空調（優先）＋被温調対象冷却モードに移行する前に、圧縮機の回転数を上昇させておくことが可能となる。特に、この場合にはモード移行要求が入力される前に圧縮機の回転数を上昇させておくことができるので、早期に空調（優先）＋被温調対象冷却モードに移行することができるようになる。
【００３０】
また、空調（単独）モードにおいて被温調対象の温度が急激に上昇しているときにも、その後、空調（優先）＋被温調対象冷却モードに移行することが予想されるので、請求項８の発明の如く制御装置が、空調（単独）モードにおいて被温調対象の温度が上昇する傾きが所定の閾値以上となった場合に、圧縮機回転数上昇制御を実行することで、モード移行要求が入力される前に圧縮機の回転数を上昇させておくことができるようになり、早期に空調（優先）＋被温調対象冷却モードに移行することができるようになる。
【００３１】
更に、空調（単独）モードにおいて被温調対象の発熱量が急激に上昇しているときにも、その後、空調（優先）＋被温調対象冷却モードに移行することが予想されるので、請求項９の発明の如く制御装置が、空調（単独）モードにおいて被温調対象の発熱量が上昇する傾きが所定の閾値以上となった場合に、圧縮機回転数上昇制御を実行することで、モード移行要求が入力される前に圧縮機の回転数を上昇させておくことができるようになり、早期に空調（優先）＋被温調対象冷却モードに移行することができるようになる。
【００３２】
更にまた、空調（単独）モードにおいて、例えば高速走行が継続されるような場合にも、その後、被温調対象の温度が上昇して空調（優先）＋被温調対象冷却モードに移行することが予想されるので、請求項１０の発明の如く制御装置が、空調（単独）モードにおいてナビゲーション情報から被温調対象の温度が上昇すると予測される場合、圧縮機回転数上昇制御を実行することで、モード移行要求が入力される前に圧縮機の回転数を上昇させておくことができるようになり、早期に空調（優先）＋被温調対象冷却モードに移行することができるようになる。
【００３３】
ここで、空調（単独）モードにおいて圧縮機の回転数を上昇させると、空調（優先）＋被温調対象冷却モードに移行する前の期間は車室内に吹き出される空気の温度が低下する危険性があるが、請求項１１の発明の如く制御装置が、空調（単独）モードから空調（優先）＋被温調対象冷却モードに移行する際の圧縮機回転数上昇制御を実行する場合、室内送風機の運転を抑制することで、車室内が過剰に空調される不都合を解消することができるようになる。
【００３４】
また、請求項１２の発明の如く制御装置が、空調（単独）モードから空調（優先）＋被温調対象冷却モードに移行する際の圧縮機回転数上昇制御を実行する場合、エアミックスダンパにより車室内に供給される空気の温度低下を抑制することでも車室内が過剰に空調される不都合を解消することができるようになる。
【図面の簡単な説明】
【００３５】
【図１】本発明を適用した一実施形態の車両用空気調和装置の構成図である。
【図２】図１の車両用空気調和装置の制御装置の電気回路のブロック図である。
【図３】図２の制御装置が実行する運転モードを説明する図である。
【図４】図２の制御装置のヒートポンプコントローラによる暖房モードを説明する車両用空気調和装置の構成図である。
【図５】図２の制御装置のヒートポンプコントローラによる除湿暖房モードを説明する車両用空気調和装置の構成図である。
【図６】図２の制御装置のヒートポンプコントローラによる除湿冷房モードを説明する車両用空気調和装置の構成図である。
【図７】図２の制御装置のヒートポンプコントローラによる冷房モードを説明する車両用空気調和装置の構成図である。
【図８】図２の制御装置のヒートポンプコントローラによる空調（優先）＋バッテリ冷却モードとバッテリ冷却（優先）＋空調モードを説明する車両用空気調和装置の構成図である。
【図９】図２の制御装置のヒートポンプコントローラによるバッテリ冷却（単独）モードを説明する車両用空気調和装置の構成図である。
【図１０】図２の制御装置のヒートポンプコントローラによる除霜モードを説明する車両用空気調和装置の構成図である。
【図１１】図２の制御装置のヒートポンプコントローラの圧縮機制御に関する制御ブロック図である。
【図１２】図２の制御装置のヒートポンプコントローラの圧縮機制御に関するもう一つの制御ブロック図である。
【図１３】図２の制御装置のヒートポンプコントローラの圧縮機制御に関する更にもう一つの制御ブロック図である。
【図１４】図２の制御装置のヒートポンプコントローラの圧縮機回転数上昇制御を説明する図である。
【図１５】図２の制御装置のヒートポンプコントローラのもう一つの圧縮機回転数上昇制御を説明する図である。
【発明を実施するための形態】
【００３６】
以下、本発明の実施の形態について、図面に基づき詳細に説明する。図１は本発明の一実施形態の車両用空気調和装置１の構成図を示している。本発明を適用する実施例の車両は、エンジン（内燃機関）が搭載されていない電気自動車（ＥＶ）であって、車両に搭載されているバッテリ５５に充電された電力を走行用モータ（電動モータ。図示せず）に供給することで駆動し、走行するものであり、本発明の車両用空気調和装置１の後述する圧縮機２も、バッテリ５５から供給される電力で駆動されるものとする。
【００３７】
即ち、実施例の車両用空気調和装置１は、エンジン廃熱による暖房ができない電気自動車において、冷媒回路Ｒを用いたヒートポンプ運転により暖房モード、除湿暖房モード、除湿冷房モード、冷房モード、除霜モード、空調（優先）＋バッテリ冷却モード、バッテリ冷却（優先）＋空調モード、及び、バッテリ冷却（単独）モードの各運転モードを切り換えて実行することで車室内の空調やバッテリ５５の温調を行うものである。
【００３８】
このうち、冷房モードとバッテリ冷却（単独）モードが本発明における第１の運転モードの実施例となり、空調（優先）＋バッテリ冷却モード、バッテリ冷却（優先）＋空調モードが本発明における第２の運転モードの実施例となる。更に、冷房モードが本発明における空調（単独）モードの実施例、バッテリ冷却（単独）モードが本発明における被温調対象冷却（単独）モードの実施例であり、空調（優先）＋バッテリ冷却モードが本発明における空調（優先）＋被温調対象冷却モードの実施例、バッテリ冷却（優先）＋空調モードが本発明における被温調対象冷却（優先）＋空調モードの実施例となる。
【００３９】
尚、車両としては電気自動車に限らず、エンジンと走行用モータを供用する所謂ハイブリッド自動車にも本発明は有効である。また、実施例の車両用空気調和装置１を適用する車両は外部の充電器（急速充電器や普通充電器）からバッテリ５５に充電可能とされているものである。更に、前述したバッテリ５５や走行用モータ、それを制御するインバータ等が本発明における車両に搭載された被温調対象となるが、以下の実施例ではバッテリ５５を例に採り上げて説明する。
【００４０】
実施例の車両用空気調和装置１は、電気自動車の車室内の空調（暖房、冷房、除湿、及び、換気）を行うものであり、冷媒を圧縮する電動式の圧縮機２と、車室内の空気が通気循環されるＨＶＡＣユニット１０の空気流通路３内に設けられ、圧縮機２から吐出された高温高圧の冷媒がマフラー５と冷媒配管１３Ｇを介して流入し、この冷媒を車室内に放熱（冷媒の熱を放出）させる放熱器４と、暖房時に冷媒を減圧膨張させる電動弁（電子膨張弁）から成る室外膨張弁６と、冷房時には冷媒を放熱させる放熱器として機能し、暖房時には冷媒を吸熱（冷媒に熱を吸収）させる蒸発器として機能すべく冷媒と外気との間で熱交換を行わせる室外熱交換器７と、冷媒を減圧膨張させる機械式膨張弁から成る室内膨張弁８と、空気流通路３内に設けられて冷房時及び除湿時に車室内外から冷媒に吸熱（蒸発）させる蒸発器としての吸熱器９と、アキュムレータ１２等が冷媒配管１３により順次接続され、冷媒回路Ｒが構成されている。
【００４１】
そして、室外膨張弁６は放熱器４から出て室外熱交換器７に流入する冷媒を減圧膨張させると共に、全閉も可能とされている。また、実施例では機械式膨張弁が使用された室内膨張弁８は、吸熱器９に流入する冷媒を減圧膨張させると共に、吸熱器９における冷媒の過熱度を調整する。
【００４２】
尚、室外熱交換器７には、室外送風機１５が設けられている。この室外送風機１５は、室外熱交換器７に外気を強制的に通風することにより、外気と冷媒とを熱交換させるものであり、これにより停車中（即ち、車速が０ｋｍ／ｈ）にも室外熱交換器７に外気が通風されるよう構成されている。
【００４３】
また、室外熱交換器７は冷媒下流側にレシーバドライヤ部１４と過冷却部１６を順次有し、室外熱交換器７の冷媒出口側の冷媒配管１３Ａは、吸熱器９に冷媒を流す際に開放される開閉弁としての電磁弁１７（冷房用）を介してレシーバドライヤ部１４に接続され、過冷却部１６の出口側の冷媒配管１３Ｂは逆止弁１８、室内膨張弁８、及び、吸熱器用弁装置としての電磁弁３５（キャビン用）を順次介して吸熱器９の冷媒入口側に接続されている。尚、レシーバドライヤ部１４及び過冷却部１６は構造的に室外熱交換器７の一部を構成している。また、逆止弁１８は室内膨張弁８の方向が順方向とされている。更に、実施例では室内膨張弁８と電磁弁３５は電磁弁付き膨張弁にて構成している。
【００４４】
また、室外熱交換器７から出た冷媒配管１３Ａは冷媒配管１３Ｄに分岐しており、この分岐した冷媒配管１３Ｄは、暖房時に開放される開閉弁としての電磁弁２１（暖房用）を介して吸熱器９の冷媒出口側の冷媒配管１３Ｃに連通接続されている。そして、この冷媒配管１３Ｃがアキュムレータ１２の入口側に接続され、アキュムレータ１２の出口側は圧縮機２の冷媒吸込側の冷媒配管１３Ｋに接続されている。
【００４５】
更に、放熱器４の冷媒出口側の冷媒配管１３Ｅにはストレーナ１９が接続されており、更に、この冷媒配管１３Ｅは室外膨張弁６の手前（冷媒上流側）で冷媒配管１３Ｊと冷媒配管１３Ｆに分岐し、分岐した一方の冷媒配管１３Ｊが室外膨張弁６を介して室外熱交換器７の冷媒入口側に接続されている。また、分岐した他方の冷媒配管１３Ｆは除湿時に開放される開閉弁としての電磁弁２２（除湿用）を介し、逆止弁１８の冷媒下流側であって、室内膨張弁８の冷媒上流側に位置する冷媒配管１３Ｂに連通接続されている。
【００４６】
これにより、冷媒配管１３Ｆは室外膨張弁６、室外熱交換器７及び逆止弁１８の直列回路に対して並列に接続されたかたちとなり、室外膨張弁６、室外熱交換器７及び逆止弁１８をバイパスするバイパス回路となる。また、室外膨張弁６にはバイパス用の開閉弁としての電磁弁２０が並列に接続されている。
【００４７】
また、吸熱器９の空気上流側における空気流通路３には、外気吸込口と内気吸込口の各吸込口が形成されており（図１では吸込口２５で代表して示す）、この吸込口２５には空気流通路３内に導入する空気を車室内の空気である内気（内気循環）と、車室外の空気である外気（外気導入）とに切り換える吸込切換ダンパ２６が設けられている。更に、この吸込切換ダンパ２６の空気下流側には、導入した内気や外気を空気流通路３に送給するための室内送風機（ブロワファン）２７が設けられている。
【００４８】
尚、実施例の吸込切換ダンパ２６は、吸込口２５の外気吸込口と内気吸込口を任意の比率で開閉することにより、空気流通路３の吸熱器９に流入する空気（外気と内気）のうちの内気の比率を０〜１００％の間で調整することができるように構成されている（外気の比率も１００％〜０％の間で調整可能）。
【００４９】
また、放熱器４の風下側（空気下流側）における空気流通路３内には、実施例ではＰＴＣヒータ（電気ヒータ）から成る補助加熱装置としての補助ヒータ２３が設けられ、放熱器４を経て車室内に供給される空気を加熱することが可能とされている。更に、放熱器４の空気上流側における空気流通路３内には、当該空気流通路３内に流入し、吸熱器９を通過した後の空気流通路３内の空気（内気や外気）を放熱器４及び補助ヒータ２３に通風する割合を調整するエアミックスダンパ２８が設けられている。
【００５０】
更にまた、放熱器４の空気下流側における空気流通路３には、ＦＯＯＴ（フット）、ＶＥＮＴ（ベント）、ＤＥＦ（デフ）の各吹出口（図１では代表して吹出口２９で示す）が形成されており、この吹出口２９には上記各吹出口からの空気の吹き出しを切換制御する吹出口切換ダンパ３１が設けられている。
【００５１】
更に、車両用空気調和装置１は、バッテリ５５（被温調対象）に熱媒体を循環させて当該バッテリ５５の温度を調整するための機器温度調整装置６１を備えている。実施例の機器温度調整装置６１は、バッテリ５５に熱媒体を循環させるための循環装置としての循環ポンプ６２と、蒸発器である被温調対象用熱交換器としての冷媒−熱媒体熱交換器６４と、加熱装置としての熱媒体加熱ヒータ６３を備え、それらとバッテリ５５が熱媒体配管６６にて環状に接続されている。
【００５２】
実施例の場合、循環ポンプ６２の吐出側に冷媒−熱媒体熱交換器６４の熱媒体流路６４Ａの入口が接続され、この熱媒体流路６４Ａの出口は熱媒体加熱ヒータ６３の入口に接続されている。この熱媒体加熱ヒータ６３の出口がバッテリ５５の入口に接続され、バッテリ５５の出口が循環ポンプ６２の吸込側に接続されている。
【００５３】
この機器温度調整装置６１で使用される熱媒体としては、例えば水、ＨＦＯ−１２３４ｙｆのような冷媒、クーラント等の液体、空気等の気体が採用可能である。尚、実施例では水を熱媒体として採用している。また、熱媒体加熱ヒータ６３はＰＴＣヒータ等の電気ヒータから構成されている。更に、バッテリ５５の周囲には例えば熱媒体が当該バッテリ５５と熱交換関係で流通可能なジャケット構造が施されているものとする。
【００５４】
そして、循環ポンプ６２が運転されると、循環ポンプ６２から吐出された熱媒体は冷媒−熱媒体熱交換器６４の熱媒体流路６４Ａに流入する。この冷媒−熱媒体熱交換器６４の熱媒体流路６４Ａを出た熱媒体は熱媒体加熱ヒータ６３に至り、当該熱媒体加熱ヒータ６３が発熱されている場合にはそこで加熱された後、バッテリ５５に至り、熱媒体はそこでバッテリ５５と熱交換する。そして、このバッテリ５５と熱交換した熱媒体が循環ポンプ６２に吸い込まれることで熱媒体配管６６内を循環される。
【００５５】
一方、冷媒回路Ｒの冷媒配管１３Ｆと冷媒配管１３Ｂとの接続部の冷媒下流側であって、室内膨張弁８の冷媒上流側に位置する冷媒配管１３Ｂには、分岐回路としての分岐配管６７の一端が接続されている。この分岐配管６７には実施例では機械式の膨張弁から構成された補助膨張弁６８と、被温調対象用弁装置としての電磁弁（チラー用）６９が順次設けられている。補助膨張弁６８は冷媒−熱媒体熱交換器６４の後述する冷媒流路６４Ｂに流入する冷媒を減圧膨張させると共に、冷媒−熱媒体熱交換器６４の冷媒流路６４Ｂにおける冷媒の過熱度を調整する。尚、実施例では補助膨張弁６８と電磁弁６９も電磁弁付き膨張弁にて構成している。
【００５６】
そして、分岐配管６７の他端は冷媒−熱媒体熱交換器６４の冷媒流路６４Ｂに接続されており、この冷媒流路６４Ｂの出口には冷媒配管７１の一端が接続され、冷媒配管７１の他端は冷媒配管１３Ｄとの合流点より冷媒上流側（アキュムレータ１２の冷媒上流側）の冷媒配管１３Ｃに接続されている。そして、これら補助膨張弁６８や電磁弁６９、冷媒−熱媒体熱交換器６４の冷媒流路６４Ｂ等も冷媒回路Ｒの一部を構成すると同時に、機器温度調整装置６１の一部をも構成することになる。
【００５７】
電磁弁６９が開いている場合、室外熱交換器７から出た冷媒（一部又は全ての冷媒）は分岐配管６７に流入し、補助膨張弁６８で減圧された後、電磁弁６９を経て冷媒−熱媒体熱交換器６４の冷媒流路６４Ｂに流入して、そこで蒸発する。冷媒は冷媒流路６４Ｂを流れる過程で熱媒体流路６４Ａを流れる熱媒体から吸熱した後、冷媒配管７１、冷媒配管１３Ｃ、アキュムレータ１２を経て冷媒配管１３Ｋから圧縮機２に吸い込まれることになる。
【００５８】
次に、図２は実施例の車両用空気調和装置１の制御装置１１のブロック図を示している。制御装置１１は、何れもプロセッサを備えたコンピュータの一例であるマイクロコンピュータから構成された空調コントローラ４５及びヒートポンプコントローラ３２から構成されており、これらがＣＡＮ（Ｃｏｎｔｒｏｌｌｅｒ  Ａｒｅａ  Ｎｅｔｗｏｒｋ）やＬＩＮ（Ｌｏｃａｌ  Ｉｎｔｅｒｃｏｎｎｅｃｔ  Ｎｅｔｗｏｒｋ）を構成する車両通信バス６５に接続されている。また、圧縮機２と補助ヒータ２３、循環ポンプ６２と熱媒体加熱ヒータ６３も車両通信バス６５に接続され、これら空調コントローラ４５、ヒートポンプコントローラ３２、圧縮機２、補助ヒータ２３、循環ポンプ６２及び熱媒体加熱ヒータ６３が車両通信バス６５を介してデータの送受信を行うように構成されている。
【００５９】
更に、車両通信バス６５には走行を含む車両全般の制御を司る車両コントローラ７２（ＥＣＵ）と、バッテリ５５の充放電の制御を司るバッテリコントローラ（ＢＭＳ：Ｂａｔｔｅｒｙ  Ｍａｎａｇｅｍｅｎｔ  ｓｙｓｔｅｍ）７３と、ＧＰＳナビゲーション装置７４が接続されている。車両コントローラ７２やバッテリコントローラ７３、ＧＰＳナビゲーション装置７４もプロセッサを備えたコンピュータの一例であるマイクロコンピュータから構成されており、制御装置１１を構成する空調コントローラ４５とヒートポンプコントローラ３２は、車両通信バス６５を介してこれら車両コントローラ７２やバッテリコントローラ７３、ＧＰＳナビゲーション装置７４と情報（データ）の送受信を行う構成とされている。
【００６０】
空調コントローラ４５は、車両の車室内空調の制御を司る上位のコントローラであり、この空調コントローラ４５の入力には、車両の外気温度Ｔａｍを検出する外気温度センサ３３と、外気湿度を検出する外気湿度センサ３４と、吸込口２５から空気流通路３に吸い込まれて吸熱器９に流入する空気の温度を検出するＨＶＡＣ吸込温度センサ３６と、車室内の空気（内気）温度を検出する内気温度センサ３７と、車室内の空気の湿度を検出する内気湿度センサ３８と、車室内の二酸化炭素濃度を検出する室内ＣＯ2濃度センサ３９と、車室内に吹き出される空気の温度を検出する吹出温度センサ４１と、車室内への日射量を検出するための例えばフォトセンサ式の日射センサ５１と、車両の移動速度（車速ＶＳＰ）を検出するための車速センサ５２の各出力と、車室内の設定温度や運転モードの切り換え等の車室内の空調設定操作や情報の表示を行うための空調操作部５３が接続されている。尚、図中５３Ａはこの空調操作部５３に設けられた表示出力装置としてのディスプレイである。
【００６１】
また、空調コントローラ４５の出力には、室外送風機１５と、室内送風機（ブロワファン）２７と、吸込切換ダンパ２６と、エアミックスダンパ２８と、吹出口切換ダンパ３１が接続され、それらは空調コントローラ４５により制御される。
【００６２】
ヒートポンプコントローラ３２は、主に冷媒回路Ｒの制御を司るコントローラであり、このヒートポンプコントローラ３２の入力には、放熱器４の冷媒入口温度Ｔｃｘｉｎ（圧縮機２の吐出冷媒温度でもある）を検出する放熱器入口温度センサ４３と、放熱器４の冷媒出口温度Ｔｃｉを検出する放熱器出口温度センサ４４と、圧縮機２の吸込冷媒温度Ｔｓを検出する吸込温度センサ４６と、放熱器４の冷媒出口側の冷媒圧力（放熱器４の圧力：放熱器圧力Ｐｃｉ）を検出する放熱器圧力センサ４７と、吸熱器９の温度（吸熱器９の冷媒温度：吸熱器温度Ｔｅ）を検出する吸熱器温度センサ４８と、室外熱交換器７の出口の冷媒温度（室外熱交換器７の冷媒蒸発温度：室外熱交換器温度ＴＸＯ）を検出する室外熱交換器温度センサ４９と、補助ヒータ２３の温度を検出する補助ヒータ温度センサ５０Ａ（運転席側）及び５０Ｂ（助手席側）の各出力が接続されている。
【００６３】
また、ヒートポンプコントローラ３２の出力には、室外膨張弁６、電磁弁２２（除湿用）、電磁弁１７（冷房用）、電磁弁２１（暖房用）、電磁弁２０（バイパス用）、電磁弁３５（キャビン用）及び電磁弁６９（チラー用）の各電磁弁が接続され、それらはヒートポンプコントローラ３２により制御される。尚、圧縮機２、補助ヒータ２３、循環ポンプ６２及び熱媒体加熱ヒータ６３はそれぞれコントローラを内蔵しており、実施例では圧縮機２や補助ヒータ２３、循環ポンプ６２や熱媒体加熱ヒータ６３のコントローラは車両通信バス６５を介してヒートポンプコントローラ３２とデータの送受信を行い、このヒートポンプコントローラ３２によって制御される。
【００６４】
尚、機器温度調整装置６１を構成する循環ポンプ６２や熱媒体加熱ヒータ６３はバッテリコントローラ７３により制御されるようにしてもよい。また、このバッテリコントローラ７３には機器温度調整装置６１の冷媒−熱媒体熱交換器６４の熱媒体流路６４Ａの出口側の熱媒体の温度（熱媒体温度Ｔｗ）を検出する熱媒体温度センサ７６と、バッテリ５５の温度（バッテリ５５自体の温度：バッテリ温度Ｔｃｅｌｌ）を検出するバッテリ温度センサ７７の出力が接続されている。そして、実施例ではバッテリ５５の残量（蓄電量）やバッテリ５５の充電に関する情報（充電中であることの情報や充電完了時間、残充電時間等）、熱媒体温度Ｔｗやバッテリ温度Ｔｃｅｌｌ、バッテリ５５の発熱量（通電量等からバッテリコントローラ７３が算出）等はバッテリコントローラ７３から車両通信バス６５を介して空調コントローラ４５や車両コントローラ７２に送信される。バッテリ５５の充電時における充電完了時間や残充電時間に関する情報は、急速充電器等の外部の充電器から供給される情報である。また、車両コントローラ７２からは走行用モータの出力Ｍｐｏｗｅｒがヒートポンプコントローラ３２や空調コントローラ４５に送信される。
【００６５】
ヒートポンプコントローラ３２と空調コントローラ４５は車両通信バス６５を介して相互にデータの送受信を行い、各センサの出力や空調操作部５３にて入力された設定に基づき、各機器を制御するものであるが、この場合の実施例では外気温度センサ３３、外気湿度センサ３４、ＨＶＡＣ吸込温度センサ３６、内気温度センサ３７、内気湿度センサ３８、室内ＣＯ2濃度センサ３９、吹出温度センサ４１、日射センサ５１、車速センサ５２、空気流通路３に流入して当該空気流通路３内を流通する空気の風量Ｇａ（空調コントローラ４５が算出）、エアミックスダンパ２８による風量割合ＳＷ（空調コントローラ４５が算出）、室内送風機２７の電圧（ＢＬＶ）、前述したバッテリコントローラ７３からの情報、ＧＰＳナビゲーション装置７４からの情報、空調操作部５３の出力は空調コントローラ４５から車両通信バス６５を介してヒートポンプコントローラ３２に送信され、ヒートポンプコントローラ３２による制御に供される構成とされている。
【００６６】
また、ヒートポンプコントローラ３２からも冷媒回路Ｒの制御に関するデータ（情報）が車両通信バス６５を介して空調コントローラ４５に送信される。尚、前述したエアミックスダンパ２８による風量割合ＳＷは、０≦ＳＷ≦１の範囲で空調コントローラ４５が算出する。そして、ＳＷ＝１のときはエアミックスダンパ２８により、吸熱器９を経た空気の全てが放熱器４及び補助ヒータ２３に通風されることになる。
【００６７】
以上の構成で、次に実施例の車両用空気調和装置１の動作を説明する。この実施例では制御装置１１（空調コントローラ４５、ヒートポンプコントローラ３２）は、暖房モード、除湿暖房モード、除湿冷房モード、冷房モード、及び、空調（優先）＋バッテリ冷却モードの各空調運転と、バッテリ冷却（優先）＋空調モード、バッテリ冷却（単独）モードの各バッテリ冷却運転と、除霜モードを切り換えて実行する。これらが図３に示されている。
【００６８】
このうち、暖房モードと、除湿暖房モードと、除湿冷房モードと、冷房モードと、空調（優先）＋バッテリ冷却モードの各空調運転は、実施例ではバッテリ５５を充電しておらず、車両のイグニッション（ＩＧＮ）がＯＮされ、空調操作部５３の空調スイッチがＯＮされている場合に実行されるものである。但し、リモート運転時（プレ空調等）にはイグニッションがＯＦＦの場合にも実行される。また、バッテリ５５を充電中でもバッテリ冷却要求が無く、空調スイッチがＯＮされているときは実行される。一方、バッテリ冷却（優先）＋空調モードと、バッテリ冷却（単独）モードの各バッテリ冷却運転は、例えば急速充電器（外部電源）のプラグを接続し、バッテリ５５に充電しているときに実行されるものである。但し、バッテリ冷却（単独）モードは、バッテリ５５の充電中以外にも、空調スイッチがＯＦＦで、バッテリ冷却要求があった場合（高外気温で走行時等）には実行される。
【００６９】
また、実施例ではヒートポンプコントローラ３２は、イグニッションがＯＮされているときや、イグニッションがＯＦＦされていてもバッテリ５５が充電中であるときは、機器温度調整装置６１の循環ポンプ６２を運転し、図４〜図１０に破線で示す如く熱媒体配管６６内に熱媒体を循環させるものとする。更に、図３には示していないが、実施例のヒートポンプコントローラ３２は、機器温度調整装置６１の熱媒体加熱ヒータ６３を発熱させることでバッテリ５５を加熱するバッテリ加熱モードも実行する。
【００７０】
（１）暖房モード
先ず、図４を参照しながら暖房モードについて説明する。尚、各機器の制御はヒートポンプコントローラ３２と空調コントローラ４５の協働により実行されるものであるが、以下の説明ではヒートポンプコントローラ３２を制御主体とし、簡略化して説明する。図４には暖房モードにおける冷媒回路Ｒの冷媒の流れ方（実線矢印）を示している。ヒートポンプコントローラ３２により（オートモード）或いは空調コントローラ４５の空調操作部５３へのマニュアルの空調設定操作（マニュアルモード）により暖房モードが選択されると、ヒートポンプコントローラ３２は電磁弁２１を開き、電磁弁１７、電磁弁２０、電磁弁２２、電磁弁３５、電磁弁６９を閉じる。そして、圧縮機２、及び、各送風機１５、２７を運転し、エアミックスダンパ２８は室内送風機２７から吹き出された空気が放熱器４及び補助ヒータ２３に通風される割合を調整する状態とする。
【００７１】
これにより、圧縮機２から吐出された高温高圧のガス冷媒は放熱器４に流入する。放熱器４には空気流通路３内の空気が通風されるので、空気流通路３内の空気は放熱器４内の高温冷媒と熱交換して加熱される。一方、放熱器４内の冷媒は空気に熱を奪われて冷却され、凝縮液化する。
【００７２】
放熱器４内で液化した冷媒は当該放熱器４を出た後、冷媒配管１３Ｅ、１３Ｊを経て室外膨張弁６に至る。室外膨張弁６に流入した冷媒はそこで減圧された後、室外熱交換器７に流入する。室外熱交換器７に流入した冷媒は蒸発し、走行により、或いは、室外送風機１５により通風される外気中から熱を汲み上げる（吸熱）。即ち、冷媒回路Ｒがヒートポンプとなる。そして、室外熱交換器７を出た低温の冷媒は冷媒配管１３Ａ及び冷媒配管１３Ｄ、電磁弁２１を経て冷媒配管１３Ｃに至り、更にこの冷媒配管１３Ｃを経てアキュムレータ１２に入り、そこで気液分離された後、冷媒配管１３Ｋからガス冷媒が圧縮機２に吸い込まれる循環を繰り返す。放熱器４にて加熱された空気は吹出口２９から吹き出されるので、これにより車室内の暖房が行われることになる。
【００７３】
ヒートポンプコントローラ３２は、車室内に吹き出される空気の目標温度（車室内に吹き出される空気の温度の目標値）である後述する目標吹出温度ＴＡＯから算出される目標ヒータ温度ＴＣＯ（放熱器４の目標温度）から目標放熱器圧力ＰＣＯを算出し、この目標放熱器圧力ＰＣＯと、放熱器圧力センサ４７が検出する放熱器圧力Ｐｃｉ（冷媒回路Ｒの高圧圧力）に基づいて圧縮機２の回転数を制御すると共に、放熱器出口温度センサ４４が検出する放熱器４の冷媒出口温度Ｔｃｉ及び放熱器圧力センサ４７が検出する放熱器圧力Ｐｃｉに基づいて室外膨張弁６の弁開度を制御し、放熱器４の出口における冷媒の過冷却度を制御する。
【００７４】
また、ヒートポンプコントローラ３２は、必要とされる暖房能力に対して放熱器４による暖房能力（加熱能力）が不足する場合、この不足する分を補助ヒータ２３の発熱で補完する。これにより、低外気温時等にも車室内を支障無く暖房する。
【００７５】
（２）除湿暖房モード
次に、図５を参照しながら除湿暖房モードについて説明する。図５は除湿暖房モードにおける冷媒回路Ｒの冷媒の流れ方（実線矢印）を示している。除湿暖房モードでは、ヒートポンプコントローラ３２は電磁弁２１、電磁弁２２、電磁弁３５を開き、電磁弁１７、電磁弁２０、電磁弁６９は閉じる。そして、圧縮機２、及び、各送風機１５、２７を運転し、エアミックスダンパ２８は室内送風機２７から吹き出された空気が放熱器４及び補助ヒータ２３に通風される割合を調整する状態とする。
【００７６】
これにより、圧縮機２から吐出された高温高圧のガス冷媒は放熱器４に流入する。放熱器４には空気流通路３内の空気が通風されるので、空気流通路３内の空気は放熱器４内の高温冷媒と熱交換して加熱される。一方、放熱器４内の冷媒は空気に熱を奪われて冷却され、凝縮液化する。
【００７７】
放熱器４内で液化した冷媒は放熱器４を出た後、冷媒配管１３Ｅを経て一部は冷媒配管１３Ｊに入り、室外膨張弁６に至る。室外膨張弁６に流入した冷媒はそこで減圧された後、室外熱交換器７に流入する。室外熱交換器７に流入した冷媒は蒸発し、走行により、或いは、室外送風機１５により通風される外気中から熱を汲み上げる（吸熱）。そして、室外熱交換器７を出た低温の冷媒は冷媒配管１３Ａ及び冷媒配管１３Ｄ、電磁弁２１を経て冷媒配管１３Ｃに至り、この冷媒配管１３Ｃを経てアキュムレータ１２に入り、そこで気液分離された後、ガス冷媒が冷媒配管１３Ｋから圧縮機２に吸い込まれる循環を繰り返す。
【００７８】
一方、放熱器４を経て冷媒配管１３Ｅを流れる凝縮冷媒の残りは分流され、この分流された冷媒が電磁弁２２を経て冷媒配管１３Ｆに流入し、冷媒配管１３Ｂに至る。次に、冷媒は室内膨張弁８に至り、この室内膨張弁８にて減圧された後、電磁弁３５を経て吸熱器９に流入し、蒸発する。このときに吸熱器９で生じる冷媒の吸熱作用で室内送風機２７から吹き出された空気中の水分が吸熱器９に凝結して付着するので、空気は冷却され、且つ、除湿される。
【００７９】
吸熱器９で蒸発した冷媒は、冷媒配管１３Ｃに出て冷媒配管１３Ｄからの冷媒（室外熱交換器７からの冷媒）と合流した後、アキュムレータ１２を経て冷媒配管１３Ｋから圧縮機２に吸い込まれる循環を繰り返す。吸熱器９にて除湿された空気は放熱器４や補助ヒータ２３（発熱している場合）を通過する過程で再加熱されるので、これにより車室内の除湿暖房が行われることになる。
【００８０】
ヒートポンプコントローラ３２は、実施例では目標ヒータ温度ＴＣＯから算出される目標放熱器圧力ＰＣＯと放熱器圧力センサ４７が検出する放熱器圧力Ｐｃｉ（冷媒回路Ｒの高圧圧力）に基づいて圧縮機２の回転数を制御するか、又は、吸熱器温度センサ４８が検出する吸熱器９の温度（吸熱器温度Ｔｅ）とその目標値である目標吸熱器温度ＴＥＯに基づいて圧縮機２の回転数を制御する。このとき、ヒートポンプコントローラ３２は放熱器圧力Ｐｃｉによるか吸熱器温度Ｔｅによるか、何れかの演算から得られる圧縮機目標回転数の低い方（後述するＴＧＮＣｈとＴＧＮＣｃのうちの低い方）を選択して圧縮機２を制御する。また、吸熱器温度Ｔｅに基づいて室外膨張弁６の弁開度を制御する。
【００８１】
また、ヒートポンプコントローラ３２は、この除湿暖房モードにおいても必要とされる暖房能力に対して放熱器４による暖房能力（加熱能力）が不足する場合、この不足する分を補助ヒータ２３の発熱で補完する。これにより、低外気温時等にも車室内を支障無く除湿暖房する。
【００８２】
（３）除湿冷房モード
次に、図６を参照しながら除湿冷房モードについて説明する。図６は除湿冷房モードにおける冷媒回路Ｒの冷媒の流れ方（実線矢印）を示している。除湿冷房モードでは、ヒートポンプコントローラ３２は電磁弁１７、及び、電磁弁３５を開き、電磁弁２０、電磁弁２１、電磁弁２２、及び、電磁弁６９を閉じる。そして、圧縮機２、及び、各送風機１５、２７を運転し、エアミックスダンパ２８は室内送風機２７から吹き出された空気が放熱器４及び補助ヒータ２３に通風される割合を調整する状態とする。
【００８３】
これにより、圧縮機２から吐出された高温高圧のガス冷媒は放熱器４に流入する。放熱器４には空気流通路３内の空気が通風されるので、空気流通路３内の空気は放熱器４内の高温冷媒と熱交換して加熱される。一方、放熱器４内の冷媒は空気に熱を奪われて冷却され、凝縮液化していく。
【００８４】
放熱器４を出た冷媒は冷媒配管１３Ｅ、１３Ｊを経て室外膨張弁６に至り、暖房モードや除湿暖房モードよりも開き気味（大きい弁開度の領域）で制御される室外膨張弁６を経て室外熱交換器７に流入する。室外熱交換器７に流入した冷媒はそこで走行により、或いは、室外送風機１５により通風される外気によって空冷され、凝縮する。室外熱交換器７を出た冷媒は冷媒配管１３Ａ、電磁弁１７、レシーバドライヤ部１４、過冷却部１６を経て冷媒配管１３Ｂに入り、逆止弁１８を経て室内膨張弁８に至る。室内膨張弁８にて冷媒は減圧された後、電磁弁３５を経て吸熱器９に流入し、蒸発する。このときの吸熱作用で室内送風機２７から吹き出された空気中の水分が吸熱器９に凝結して付着し、空気は冷却され、且つ、除湿される。
【００８５】
吸熱器９で蒸発した冷媒は、冷媒配管１３Ｃを経てアキュムレータ１２に至り、そこを経て冷媒配管１３Ｋから圧縮機２に吸い込まれる循環を繰り返す。吸熱器９にて冷却され、除湿された空気は放熱器４や補助ヒータ２３（発熱している場合）を通過する過程で再加熱（除湿暖房時よりも加熱能力は低い）されるので、これにより車室内の除湿冷房が行われることになる。
【００８６】
ヒートポンプコントローラ３２は吸熱器温度センサ４８が検出する吸熱器９の温度（吸熱器温度Ｔｅ）と吸熱器９の目標温度（吸熱器温度Ｔｅの目標値）である目標吸熱器温度ＴＥＯに基づき、吸熱器温度Ｔｅを目標吸熱器温度ＴＥＯにするように圧縮機２の回転数を制御すると共に、放熱器圧力センサ４７が検出する放熱器圧力Ｐｃｉ（冷媒回路Ｒの高圧圧力）と目標放熱器圧力ＰＣＯ（放熱器圧力Ｐｃｉの目標値）に基づき、放熱器圧力Ｐｃｉを目標放熱器圧力ＰＣＯにするように室外膨張弁６の弁開度を制御することで放熱器４による必要なリヒート量（再加熱量）を得る。
【００８７】
また、ヒートポンプコントローラ３２は、この除湿冷房モードにおいても必要とされる暖房能力に対して放熱器４による暖房能力（再加熱能力）が不足する場合、この不足する分を補助ヒータ２３の発熱で補完する。これにより、車室内の温度を下げ過ぎること無く、除湿冷房する。
【００８８】
（４）冷房モード（第１の運転モード、空調（単独）モード）
次に、図７を参照しながら冷房モードについて説明する。図７は冷房モードにおける冷媒回路Ｒの冷媒の流れ方（実線矢印）を示している。冷房モードでは、ヒートポンプコントローラ３２は電磁弁１７、電磁弁２０、及び、電磁弁３５を開き、電磁弁２１、電磁弁２２、及び、電磁弁６９を閉じる。そして、圧縮機２、及び、各送風機１５、２７を運転し、エアミックスダンパ２８は室内送風機２７から吹き出された空気が放熱器４及び補助ヒータ２３に通風される割合を調整する状態とする。尚、補助ヒータ２３には通電されない。
【００８９】
これにより、圧縮機２から吐出された高温高圧のガス冷媒は放熱器４に流入する。放熱器４には空気流通路３内の空気は通風されるものの、その割合は小さくなるので（冷房時のリヒート（再加熱）のみのため）、ここは殆ど通過するのみとなり、放熱器４を出た冷媒は冷媒配管１３Ｅを経て冷媒配管１３Ｊに至る。このとき電磁弁２０は開放されているので冷媒は電磁弁２０を通過し、そのまま室外熱交換器７に流入し、そこで走行により、或いは、室外送風機１５により通風される外気によって空冷され、凝縮液化する。
【００９０】
室外熱交換器７を出た冷媒は冷媒配管１３Ａ、電磁弁１７、レシーバドライヤ部１４、過冷却部１６を経て冷媒配管１３Ｂに入り、逆止弁１８を経て室内膨張弁８に至る。室内膨張弁８にて冷媒は減圧された後、電磁弁３５を経て吸熱器９に流入し、蒸発する。このときの吸熱作用で室内送風機２７から吹き出されて吸熱器９と熱交換する空気は冷却される。
【００９１】
吸熱器９で蒸発した冷媒は、冷媒配管１３Ｃを経てアキュムレータ１２に至り、そこから冷媒配管１３Ｋを経て圧縮機２に吸い込まれる循環を繰り返す。吸熱器９にて冷却された空気は吹出口２９から車室内に吹き出されるので、これにより車室内の冷房が行われることになる。この冷房モードにおいては、ヒートポンプコントローラ３２は吸熱器温度センサ４８が検出する吸熱器９の温度（吸熱器温度Ｔｅ）に基づいて圧縮機２の回転数を制御する。
【００９２】
（５）空調（優先）＋バッテリ冷却モード（第２の運転モード、空調（優先）＋被温調対象冷却モード）
次に、図８を参照しながら空調（優先）＋バッテリ冷却モードについて説明する。図８は空調（優先）＋バッテリ冷却モードにおける冷媒回路Ｒの冷媒の流れ方（実線矢印）を示している。空調（優先）＋バッテリ冷却モードでは、ヒートポンプコントローラ３２は電磁弁１７、電磁弁２０、電磁弁３５、及び、電磁弁６９を開き、電磁弁２１、及び、電磁弁２２を閉じる。
【００９３】
そして、圧縮機２、及び、各送風機１５、２７を運転し、エアミックスダンパ２８は室内送風機２７から吹き出された空気が放熱器４及び補助ヒータ２３に通風される割合を調整する状態とする。尚、この運転モードでは補助ヒータ２３には通電されない。また、熱媒体加熱ヒータ６３にも通電されない。
【００９４】
これにより、圧縮機２から吐出された高温高圧のガス冷媒は放熱器４に流入する。放熱器４には空気流通路３内の空気は通風されるものの、その割合は小さくなるので（冷房時のリヒート（再加熱）のみのため）、ここは殆ど通過するのみとなり、放熱器４を出た冷媒は冷媒配管１３Ｅを経て冷媒配管１３Ｊに至る。このとき電磁弁２０は開放されているので冷媒は電磁弁２０を通過し、そのまま室外熱交換器７に流入し、そこで走行により、或いは、室外送風機１５により通風される外気によって空冷され、凝縮液化する。
【００９５】
室外熱交換器７を出た冷媒は冷媒配管１３Ａ、電磁弁１７、レシーバドライヤ部１４、過冷却部１６を経て冷媒配管１３Ｂに入る。この冷媒配管１３Ｂに流入した冷媒は、逆止弁１８を経た後に分流され、一方はそのまま冷媒配管１３Ｂを流れて室内膨張弁８に至る。この室内膨張弁８に流入した冷媒はそこで減圧された後、電磁弁３５を経て吸熱器９に流入し、蒸発する。このときの吸熱作用で室内送風機２７から吹き出されて吸熱器９と熱交換する空気は冷却される。
【００９６】
吸熱器９で蒸発した冷媒は、冷媒配管１３Ｃを経てアキュムレータ１２に至り、そこから冷媒配管１３Ｋを経て圧縮機２に吸い込まれる循環を繰り返す。吸熱器９にて冷却された空気は吹出口２９から車室内に吹き出されるので、これにより車室内の冷房が行われることになる。
【００９７】
他方、逆止弁１８を経た冷媒の残りは分流され、分岐配管６７に流入して補助膨張弁６８に至る。ここで冷媒は減圧された後、電磁弁６９を経て冷媒−熱媒体熱交換器６４の冷媒流路６４Ｂに流入し、そこで蒸発する。このときに吸熱作用を発揮する。この冷媒流路６４Ｂで蒸発した冷媒は、冷媒配管７１、冷媒配管１３Ｃ及びアキュムレータ１２を順次経て冷媒配管１３Ｋから圧縮機２に吸い込まれる循環を繰り返す（図８に実線矢印で示す）。
【００９８】
一方、循環ポンプ６２が運転されているので、この循環ポンプ６２から吐出された熱媒体が熱媒体配管６６内を冷媒−熱媒体熱交換器６４の熱媒体流路６４Ａに至り、そこで冷媒流路６４Ｂ内で蒸発する冷媒と熱交換し、吸熱されて熱媒体は冷却される。この冷媒−熱媒体熱交換器６４の熱媒体流路６４Ａを出た熱媒体は、熱媒体加熱ヒータ６３に至る。但し、この運転モードでは熱媒体加熱ヒータ６３は発熱されないので、熱媒体はそのまま通過してバッテリ５５に至り、当該バッテリ５５と熱交換する。これにより、バッテリ５５は冷却されると共に、バッテリ５５を冷却した後の熱媒体は、循環ポンプ６２に吸い込まれる循環を繰り返す（図８に破線矢印で示す）。
【００９９】
この空調（優先）＋バッテリ冷却モードにおいては、ヒートポンプコントローラ３２は電磁弁３５を開いた状態を維持し、吸熱器温度センサ４８が検出する吸熱器９の温度（吸熱器温度Ｔｅ）に基づいて後述する如く圧縮機２の回転数を制御する。また、実施例では熱媒体温度センサ７６が検出する熱媒体の温度（熱媒体温度Ｔｗ：バッテリコントローラ７３から送信される）に基づき、電磁弁６９を以下の如く開閉制御する。尚、熱媒体温度Ｔｗは、実施例における被温調対象であるバッテリ５５の温度を示す指標として採用している（以下、同じ）。
【０１００】
即ち、ヒートポンプコントローラ３２は、熱媒体温度Ｔｗの目標値としての所定の目標熱媒体温度ＴＷＯの上下に所定の温度差を有して上限値ＴＵＬと下限値ＴＬＬを設定する。そして、電磁弁６９を閉じている状態からバッテリ５５の発熱等により熱媒体温度Ｔｗが高くなり、上限値ＴＵＬまで上昇した場合（上限値ＴＵＬを上回った場合、又は、上限値ＴＵＬ以上となった場合。以下、同じ）、電磁弁６９を開放する。これにより、冷媒は冷媒−熱媒体熱交換器６４の冷媒流路６４Ｂに流入して蒸発し、熱媒体流路６４Ａを流れる熱媒体を冷却するので、この冷却された熱媒体によりバッテリ５５は冷却される。
【０１０１】
その後、熱媒体温度Ｔｗが下限値ＴＬＬまで低下した場合（下限値ＴＬＬを下回った場合、又は、下限値ＴＬＬ以下となった場合。以下、同じ）、電磁弁６９を閉じる。以後、このような電磁弁６９の開閉を繰り返して、車室内の冷房を優先しながら、熱媒体温度Ｔｗを目標熱媒体温度ＴＷＯに制御し、バッテリ５５の冷却を行う。
【０１０２】
（６）空調運転の切り換え
ヒートポンプコントローラ３２は下記式（Ｉ）から前述した目標吹出温度ＴＡＯを算出する。この目標吹出温度ＴＡＯは、吹出口２９から車室内に吹き出される空気の温度の目標値である。
ＴＡＯ＝（Ｔｓｅｔ−Ｔｉｎ）×Ｋ＋Ｔｂａｌ（ｆ（Ｔｓｅｔ、ＳＵＮ、Ｔａｍ））
・・（Ｉ）
ここで、Ｔｓｅｔは空調操作部５３で設定された車室内の設定温度、Ｔｉｎは内気温度センサ３７が検出する車室内空気の温度、Ｋは係数、Ｔｂａｌは設定温度Ｔｓｅｔや、日射センサ５１が検出する日射量ＳＵＮ、外気温度センサ３３が検出する外気温度Ｔａｍから算出されるバランス値である。そして、一般的に、この目標吹出温度ＴＡＯは外気温度Ｔａｍが低い程高く、外気温度Ｔａｍが上昇するに伴って低下する。
【０１０３】
そして、ヒートポンプコントローラ３２は起動時には外気温度センサ３３が検出する外気温度Ｔａｍと目標吹出温度ＴＡＯとに基づいて上記各空調運転のうちの何れかの空調運転を選択する。また、起動後は外気温度Ｔａｍや目標吹出温度ＴＡＯ、熱媒体温度Ｔｗやバッテリ温度Ｔｃｅｌｌ等の運転条件や環境条件、設定条件の変化、バッテリコントローラ７３からのバッテリ冷却要求（モード移行要求）に応じ、前記各空調運転を選択して切り換えていく。
【０１０４】
（７）バッテリ冷却（優先）＋空調モード（第２の運転モード、被温調対象冷却（優先）＋空調モード）
次に、バッテリ５５の充電中の動作について説明する。例えば急速充電器（外部電源）の充電用のプラグが接続され、バッテリ５５が充電されているときに（これらの情報はバッテリコントローラ７３から送信される）、車両のイグニッション（ＩＧＮ）のＯＮ／ＯＦＦに拘わらず、バッテリ冷却要求があり、空調操作部５３の空調スイッチがＯＮされた場合、ヒートポンプコントローラ３２はバッテリ冷却（優先）＋空調モードを実行する。このバッテリ冷却（優先）＋空調モードにおける冷媒回路Ｒの冷媒の流れ方は、図８に示した空調（優先）＋バッテリ冷却モードの場合と同様である。
【０１０５】
但し、このバッテリ冷却（優先）＋空調モードの場合、実施例ではヒートポンプコントローラ３２は電磁弁６９を開いた状態に維持し、熱媒体温度センサ７６（バッテリコントローラ７３から送信される）が検出する熱媒体温度Ｔｗに基づいて後述する如く圧縮機２の回転数を制御する。また、実施例では吸熱器温度センサ４８が検出する吸熱器９の温度（吸熱器温度Ｔｅ）に基づき、電磁弁３５を以下の如く開閉制御する。
【０１０６】
即ち、ヒートポンプコントローラ３２は、吸熱器温度Ｔｅの目標値としての所定の目標吸熱器温度ＴＥＯの上下に所定の温度差を有して上限値ＴｅＵＬと下限値ＴｅＬＬを設定する。そして、電磁弁３５を閉じている状態から吸熱器温度Ｔｅが高くなり、上限値ＴｅＵＬまで上昇した場合（上限値ＴｅＵＬを上回った場合、又は、上限値ＴｅＵＬ以上となった場合。以下、同じ）、電磁弁３５を開放する。これにより、冷媒は吸熱器９に流入して蒸発し、空気流通路３を流通する空気を冷却する。
【０１０７】
その後、吸熱器温度Ｔｅが下限値ＴｅＬＬまで低下した場合（下限値ＴｅＬＬを下回った場合、又は、ＴｅＬＬ以下となった場合。以下、同じ）、電磁弁３５を閉じる。以後、このような電磁弁３５の開閉を繰り返して、バッテリ５５の冷却を優先しながら、吸熱器温度Ｔｅを目標吸熱器温度ＴＥＯに制御し、車室内の冷房を行う。
【０１０８】
（８）バッテリ冷却（単独）モード（第１の運転モード、被温調対象冷却（単独）モード）
次に、イグニッションのＯＮ／ＯＦＦに拘わらず、空調操作部５３の空調スイッチがＯＦＦされた状態で、急速充電器の充電用のプラグが接続され、バッテリ５５が充電されているとき、バッテリ冷却要求があった場合、ヒートポンプコントローラ３２はバッテリ冷却（単独）モードを実行する。但し、バッテリ５５の充電中以外にも、空調スイッチがＯＦＦで、バッテリ冷却要求があった場合（高外気温で走行時等）には実行される。図９はこのバッテリ冷却（単独）モードにおける冷媒回路Ｒの冷媒の流れ方（実線矢印）を示している。バッテリ冷却（単独）モードでは、ヒートポンプコントローラ３２は電磁弁１７、電磁弁２０、及び、電磁弁６９を開き、電磁弁２１、電磁弁２２、及び、電磁弁３５を閉じる。
【０１０９】
そして、圧縮機２、及び、室外送風機１５を運転する。尚、室内送風機２７は運転されず、補助ヒータ２３にも通電されない。また、この運転モードでは熱媒体加熱ヒータ６３も通電されない。
【０１１０】
これにより、圧縮機２から吐出された高温高圧のガス冷媒は放熱器４に流入する。放熱器４には空気流通路３内の空気は通風されないので、ここは通過するのみとなり、放熱器４を出た冷媒は冷媒配管１３Ｅを経て冷媒配管１３Ｊに至る。このとき、電磁弁２０は開放されているので冷媒は電磁弁２０を通過し、そのまま室外熱交換器７に流入し、そこで室外送風機１５により通風される外気によって空冷され、凝縮液化する。
【０１１１】
室外熱交換器７を出た冷媒は冷媒配管１３Ａ、電磁弁１７、レシーバドライヤ部１４、過冷却部１６を経て冷媒配管１３Ｂに入る。この冷媒配管１３Ｂに流入した冷媒は、逆止弁１８を経た後、全てが分岐配管６７に流入して補助膨張弁６８に至る。ここで冷媒は減圧された後、電磁弁６９を経て冷媒−熱媒体熱交換器６４の冷媒流路６４Ｂに流入し、そこで蒸発する。このときに吸熱作用を発揮する。この冷媒流路６４Ｂで蒸発した冷媒は、冷媒配管７１、冷媒配管１３Ｃ及びアキュムレータ１２を順次経て冷媒配管１３Ｋから圧縮機２に吸い込まれる循環を繰り返す（図９に実線矢印で示す）。
【０１１２】
一方、循環ポンプ６２が運転されているので、この循環ポンプ６２から吐出された熱媒体が熱媒体配管６６内を冷媒−熱媒体熱交換器６４の熱媒体流路６４Ａに至り、そこで冷媒流路６４Ｂ内で蒸発する冷媒により吸熱され、熱媒体は冷却されるようになる。この冷媒−熱媒体熱交換器６４の熱媒体流路６４Ａを出た熱媒体は、熱媒体加熱ヒータ６３に至る。但し、この運転モードでは熱媒体加熱ヒータ６３は発熱されないので、熱媒体はそのまま通過してバッテリ５５に至り、当該バッテリ５５と熱交換する。これにより、バッテリ５５は冷却されると共に、バッテリ５５を冷却した後の熱媒体は、循環ポンプ６２に吸い込まれる循環を繰り返す（図９に破線矢印で示す）。
【０１１３】
このバッテリ冷却（単独）モードにおいても、ヒートポンプコントローラ３２は熱媒体温度センサ７６が検出する熱媒体温度Ｔｗに基づいて後述する如く圧縮機２の回転数を制御することにより、バッテリ５５を冷却する。
【０１１４】
（９）除霜モード
次に、図１０を参照しながら室外熱交換器７の除霜モードについて説明する。図１０は除霜モードにおける冷媒回路Ｒの冷媒の流れ方（実線矢印）を示している。前述した如く暖房モードでは、室外熱交換器７では冷媒が蒸発し、外気から吸熱して低温となるため、室外熱交換器７には外気中の水分が霜となって付着する。
【０１１５】
そこで、ヒートポンプコントローラ３２は室外熱交換器温度センサ４９が検出する室外熱交換器温度ＴＸＯ（室外熱交換器７における冷媒蒸発温度）と、室外熱交換器７の無着霜時における冷媒蒸発温度ＴＸＯｂａｓｅとの差ΔＴＸＯ（＝ＴＸＯｂａｓｅ−ＴＸＯ）を算出しており、室外熱交換器温度ＴＸＯが無着霜時における冷媒蒸発温度ＴＸＯｂａｓｅより低下して、その差ΔＴＸＯが所定値以上に拡大した状態が所定時間継続した場合、室外熱交換器７に着霜しているものと判定して所定の着霜フラグをセットする。
【０１１６】
そして、この着霜フラグがセットされており、空調操作部５３の空調スイッチがＯＦＦされた状態で、急速充電器に充電用のプラグが接続され、バッテリ５５が充電されるとき、ヒートポンプコントローラ３２は以下の如く室外熱交換器７の除霜モードを実行する。
【０１１７】
ヒートポンプコントローラ３２はこの除霜モードでは、冷媒回路Ｒを前述した暖房モードの状態とした上で、室外膨張弁６の弁開度を全開とする。そして、圧縮機２を運転し、当該圧縮機２から吐出された高温の冷媒を放熱器４、室外膨張弁６を経て室外熱交換器７に流入させ、当該室外熱交換器７の着霜を融解させる（図１０）。そして、ヒートポンプコントローラ３２は室外熱交換器温度センサ４９が検出する室外熱交換器温度ＴＸＯが所定の除霜終了温度（例えば、＋３℃等）より高くなった場合、室外熱交換器７の除霜が完了したものとして除霜モードを終了する。
【０１１８】
（１０）バッテリ加熱モード
また、空調運転を実行しているとき、或いは、バッテリ５５を充電しているとき、ヒートポンプコントローラ３２はバッテリ加熱モードを実行する。このバッテリ加熱モードでは、ヒートポンプコントローラ３２は循環ポンプ６２を運転し、熱媒体加熱ヒータ６３に通電する。尚、電磁弁６９は閉じる。
【０１１９】
これにより、循環ポンプ６２から吐出された熱媒体は熱媒体配管６６内を冷媒−熱媒体熱交換器６４の熱媒体流路６４Ａに至り、そこを通過して熱媒体加熱ヒータ６３に至る。このとき熱媒体加熱ヒータ６３は発熱されているので、熱媒体は熱媒体加熱ヒータ６３により加熱されて温度上昇した後、バッテリ５５に至り、当該バッテリ５５と熱交換する。これにより、バッテリ５５は加熱されると共に、バッテリ５５を加熱した後の熱媒体は、循環ポンプ６２に吸い込まれる循環を繰り返す。
【０１２０】
このバッテリ加熱モードにおいては、ヒートポンプコントローラ３２は熱媒体温度センサ７６が検出する熱媒体温度Ｔｗに基づいて熱媒体加熱ヒータ６３の通電を制御することにより、熱媒体温度Ｔｗを所定の目標熱媒体温度ＴＷＯに調整し、バッテリ５５を加熱する。
【０１２１】
（１１）ヒートポンプコントローラ３２による圧縮機２の制御
また、ヒートポンプコントローラ３２は、暖房モードでは放熱器圧力Ｐｃｉに基づき、図１１の制御ブロック図により圧縮機２の目標回転数（圧縮機目標回転数）ＴＧＮＣｈを算出し、除湿冷房モード、冷房モード、空調（優先）＋バッテリ冷却モードでは、吸熱器温度Ｔｅに基づき、図１２の制御ブロック図により圧縮機２の目標回転数（圧縮機目標回転数）ＴＧＮＣｃを算出する。尚、除湿暖房モードでは圧縮機目標回転数ＴＧＮＣｈと圧縮機目標回転数ＴＧＮＣｃのうちの低い方向を選択する。また、バッテリ冷却（優先）＋空調モード、バッテリ冷却（単独）モードでは、熱媒体温度Ｔｗに基づき、図１３の制御ブロック図により圧縮機２の目標回転数（圧縮機目標回転数）ＴＧＮＣｃｂを算出する。
【０１２２】
（１１−１）放熱器圧力Ｐｃｉに基づく圧縮機目標回転数ＴＧＮＣｈの算出
先ず、図１１を用いて放熱器圧力Ｐｃｉに基づく圧縮機２の制御について詳述する。図１１は放熱器圧力Ｐｃｉに基づいて圧縮機２の目標回転数（圧縮機目標回転数）ＴＧＮＣｈを算出するヒートポンプコントローラ３２の制御ブロック図である。ヒートポンプコントローラ３２のＦ／Ｆ（フィードフォワード）操作量演算部７８は外気温度センサ３３から得られる外気温度Ｔａｍと、室内送風機２７のブロワ電圧ＢＬＶと、ＳＷ＝（ＴＡＯ−Ｔｅ）／（Ｔｈｐ−Ｔｅ）で得られるエアミックスダンパ２８による風量割合ＳＷと、放熱器４の出口における冷媒の過冷却度ＳＣの目標値である目標過冷却度ＴＧＳＣと、ヒータ温度Ｔｈｐの目標値である前述した目標ヒータ温度ＴＣＯと、放熱器４の圧力の目標値である目標放熱器圧力ＰＣＯに基づいて圧縮機目標回転数のＦ／Ｆ操作量ＴＧＮＣｈｆｆを算出する。
【０１２３】
尚、ヒータ温度Ｔｈｐは放熱器４の風下側の空気温度（推定値）であり、放熱器圧力センサ４７が検出する放熱器圧力Ｐｃｉと放熱器出口温度センサ４４が検出する放熱器４の冷媒出口温度Ｔｃｉから算出（推定）する。また、過冷却度ＳＣは放熱器入口温度センサ４３と放熱器出口温度センサ４４が検出する放熱器４の冷媒入口温度Ｔｃｘｉｎと冷媒出口温度Ｔｃｉから算出される。
【０１２４】
前記目標放熱器圧力ＰＣＯは上記目標過冷却度ＴＧＳＣと目標ヒータ温度ＴＣＯに基づいて目標値演算部７９が算出する。更に、Ｆ／Ｂ（フィードバック）操作量演算部８１はこの目標放熱器圧力ＰＣＯと放熱器圧力Ｐｃｉに基づくＰＩＤ演算若しくはＰＩ演算により圧縮機目標回転数のＦ／Ｂ操作量ＴＧＮＣｈｆｂを算出する。そして、Ｆ／Ｆ操作量演算部７８が算出したＦ／Ｆ操作量ＴＧＮＣｈｆｆとＦ／Ｂ操作量演算部８１が算出したＦ／Ｂ操作量ＴＧＮＣｈｆｂは加算器８２で加算され、ＴＧＮＣｈ００としてリミット設定部８３に入力される。
【０１２５】
リミット設定部８３では制御上の下限回転数ＥＣＮｐｄＬｉｍＬｏと上限回転数ＥＣＮｐｄＬｉｍＨｉのリミットが付けられてＴＧＮＣｈ０とされた後、圧縮機ＯＦＦ制御部８４を経て圧縮機目標回転数ＴＧＮＣｈとして決定される。通常モードではヒートポンプコントローラ３２は、この放熱器圧力Ｐｃｉに基づいて算出された圧縮機目標回転数ＴＧＮＣｈにより圧縮機２の運転を制御する。
【０１２６】
尚、圧縮機ＯＦＦ制御部８４は、圧縮機目標回転数ＴＧＮＣｈが上述した下限回転数ＥＣＮｐｄＬｉｍＬｏとなり、放熱器圧力Ｐｃｉが目標放熱器圧力ＰＣＯの上下に設定された所定の上限値ＰＵＬと下限値ＰＬＬのうちの上限値ＰＵＬまで上昇した状態（上限値ＰＵＬを上回った状態、又は、上限値ＰＵＬ以上となった状態。以下、同じ）が所定時間ｔｈ１継続した場合、圧縮機２を停止させて圧縮機２をＯＮ−ＯＦＦ制御するＯＮ−ＯＦＦモードに入る。
【０１２７】
この圧縮機２のＯＮ−ＯＦＦモードでは、放熱器圧力Ｐｃｉが下限値ＰＬＬまで低下した場合（下限値ＰＬＬを下回った場合、又は、下限値ＰＬＬ以下となった場合。以下、同じ）、圧縮機２を起動して圧縮機目標回転数ＴＧＮＣｈを下限回転数ＥＣＮｐｄＬｉｍＬｏとして運転し、その状態で放熱器圧力Ｐｃｉが上限値ＰＵＬまで上昇した場合は圧縮機２を再度停止させる。即ち、下限回転数ＥＣＮｐｄＬｉｍＬｏでの圧縮機２の運転（ＯＮ）と、停止（ＯＦＦ）を繰り返す。そして、放熱器圧力Ｐｃｉが下限値ＰＵＬまで低下し、圧縮機２を起動した後、放熱器圧力Ｐｃｉが下限値ＰＵＬより高くならない状態が所定時間ｔｈ２継続した場合、圧縮機２のＯＮ−ＯＦＦモードを終了し、通常モードに復帰するものである。
【０１２８】
（１１−２）吸熱器温度Ｔｅに基づく圧縮機目標回転数ＴＧＮＣｃの算出
次に、図１２を用いて吸熱器温度Ｔｅに基づく圧縮機２の制御について詳述する。図１２は吸熱器温度Ｔｅに基づいて圧縮機２の目標回転数（圧縮機目標回転数）ＴＧＮＣｃを算出するヒートポンプコントローラ３２の制御ブロック図である。ヒートポンプコントローラ３２のＦ／Ｆ（フィードフォワード）操作量演算部８６は外気温度Ｔａｍと、空気流通路３内を流通する空気の風量Ｇａ（室内送風機２７のブロワ電圧ＢＬＶでもよい）と、目標放熱器圧力ＰＣＯと、バッテリ温度センサ７７が検出するバッテリ温度Ｔｃｅｌｌ（バッテリコントローラ７３から送信される）と、走行用モータの出力Ｍｐｏｗｅｒ（車両コントローラ７２から送信される）と、車速ＶＳＰと、バッテリ５５の発熱量（バッテリコントローラ７３から送信される）と、吸熱器温度Ｔｅの目標値である目標吸熱器温度ＴＥＯに基づいて圧縮機目標回転数のＦ／Ｆ操作量ＴＧＮＣｃｆｆを算出する。
【０１２９】
また、Ｆ／Ｂ操作量演算部８７は目標吸熱器温度ＴＥＯと吸熱器温度Ｔｅに基づくＰＩＤ演算若しくはＰＩ演算により圧縮機目標回転数のＦ／Ｂ操作量ＴＧＮＣｃｆｂを算出する。そして、Ｆ／Ｆ操作量演算部８６が算出したＦ／Ｆ操作量ＴＧＮＣｃｆｆとＦ／Ｂ操作量演算部８７が算出したＦ／Ｂ操作量ＴＧＮＣｃｆｂは加算器８８で加算され、ＴＧＮＣｃ００としてリミット設定部８９に入力される。
【０１３０】
リミット設定部８９では制御上の下限回転数ＴＧＮＣｃＬｉｍＬｏと上限回転数ＴＧＮＣｃＬｉｍＨｉのリミットが付けられてＴＧＮＣｃ０とされた後、圧縮機ＯＦＦ制御部９１を経て圧縮機目標回転数ＴＧＮＣｃとして決定される。通常モードではヒートポンプコントローラ３２は、この吸熱器温度Ｔｅに基づいて算出された圧縮機目標回転数ＴＧＮＣｃにより圧縮機２の運転を制御する。
【０１３１】
尚、圧縮機ＯＦＦ制御部９１は、圧縮機目標回転数ＴＧＮＣｃが上述した下限回転数ＴＧＮＣｃＬｉｍＬｏとなり、吸熱器温度Ｔｅが目標吸熱器温度ＴＥＯの上下に設定された上限値ＴｅＵＬと下限値ＴｅＬＬのうちの下限値ＴｅＬＬまで低下した状態が所定時間ｔｃ１継続した場合、圧縮機２を停止させて圧縮機２をＯＮ−ＯＦＦ制御するＯＮ−ＯＦＦモードに入る。
【０１３２】
この場合の圧縮機２のＯＮ−ＯＦＦモードでは、吸熱器温度Ｔｅが上限値ＴｅＵＬまで上昇した場合、圧縮機２を起動して圧縮機目標回転数ＴＧＮＣｃを下限回転数ＴＧＮＣｃＬｉｍＬｏとして運転し、その状態で吸熱器温度Ｔｅが下限値ＴｅＬＬまで低下した場合は圧縮機２を再度停止させる。即ち、下限回転数ＴＧＮＣｃＬｉｍＬｏでの圧縮機２の運転（ＯＮ）と、停止（ＯＦＦ）を繰り返す。そして、吸熱器温度Ｔｅが上限値ＴｅＵＬまで上昇し、圧縮機２を起動した後、吸熱器温度Ｔｅが上限値ＴｅＵＬより低くならない状態が所定時間ｔｃ２継続した場合、この場合の圧縮機２のＯＮ−ＯＦＦモードを終了し、通常モードに復帰するものである。
【０１３３】
（１１−３）熱媒体温度Ｔｗに基づく圧縮機目標回転数ＴＧＮＣｃｂの算出
次に、図１３を用いて熱媒体温度Ｔｗに基づく圧縮機２の制御について詳述する。図１３は熱媒体温度Ｔｗに基づいて圧縮機２の目標回転数（圧縮機目標回転数）ＴＧＮＣｃｂを算出するヒートポンプコントローラ３２の制御ブロック図である。ヒートポンプコントローラ３２のＦ／Ｆ（フィードフォワード）操作量演算部９２は外気温度Ｔａｍと、目標放熱器圧力ＰＣＯと、目標吸熱器温度ＴＥＯと、機器温度調整装置６１内の熱媒体の流量Ｇｗ（循環ポンプ６２の出力から算出される）と、バッテリ温度Ｔｃｅｌｌと、走行用モータの出力Ｍｐｏｗｅｒ（車両コントローラ７２から送信される）と、車速ＶＳＰと、バッテリ５５の発熱量（バッテリコントローラ７３から送信される）と、熱媒体温度Ｔｗの目標値である目標熱媒体温度ＴＷＯに基づいて圧縮機目標回転数のＦ／Ｆ操作量ＴＧＮＣｃｂｆｆを算出する。
【０１３４】
また、Ｆ／Ｂ操作量演算部９３は目標熱媒体温度ＴＷＯと熱媒体温度Ｔｗに基づくＰＩＤ演算若しくはＰＩ演算により圧縮機目標回転数のＦ／Ｂ操作量ＴＧＮＣｃｂｆｂを算出する。そして、Ｆ／Ｆ操作量演算部９２が算出したＦ／Ｆ操作量ＴＧＮＣｃｂｆｆとＦ／Ｂ操作量演算部９３が算出したＦ／Ｂ操作量ＴＧＮＣｃｂｆｂは加算器９４で加算され、ＴＧＮＣｃｂ００としてリミット設定部９６に入力される。
【０１３５】
リミット設定部９６では制御上の下限回転数ＴＧＮＣｃｂＬｉｍＬｏと上限回転数ＴＧＮＣｃｂＬｉｍＨｉのリミットが付けられてＴＧＮＣｃｂ０とされた後、圧縮機ＯＦＦ制御部９７を経て圧縮機目標回転数ＴＧＮＣｃｂとして決定される。通常モードではヒートポンプコントローラ３２は、この熱媒体温度Ｔｗに基づいて算出された圧縮機目標回転数ＴＧＮＣｃｂにより圧縮機２の運転を制御する。
【０１３６】
尚、圧縮機ＯＦＦ制御部９７は、圧縮機目標回転数ＴＧＮＣｃｂが上述した下限回転数ＴＧＮＣｃｂＬｉｍＬｏとなり、熱媒体温度Ｔｗが目標熱媒体温度ＴＷＯの上下に設定された上限値ＴＵＬと下限値ＴＬＬのうちの下限値ＴＬＬまで低下した状態が所定時間ｔｃｂ１継続した場合、圧縮機２を停止させて圧縮機２のＯＮ−ＯＦＦ制御するＯＮ−ＯＦＦモードに入る。
【０１３７】
この場合の圧縮機２のＯＮ−ＯＦＦモードでは、熱媒体温度Ｔｗが上限値ＴＵＬまで上昇した場合、圧縮機２を起動して圧縮機目標回転数ＴＧＮＣｃｂを下限回転数ＴＧＮＣｃｂＬｉｍＬｏとして運転し、その状態で熱媒体温度Ｔｗが下限値ＴＬＬまで低下した場合は圧縮機２を再度停止させる。即ち、下限回転数ＴＧＮＣｃｂＬｉｍＬｏでの圧縮機２の運転（ＯＮ）と、停止（ＯＦＦ）を繰り返す。そして、熱媒体温度Ｔｗが上限値ＴＵＬまで上昇し、圧縮機２を起動した後、熱媒体温度Ｔｗが上限値ＴＵＬより低くならない状態が所定時間ｔｃｂ２継続した場合、この場合の圧縮機２のＯＮ−ＯＦＦモードを終了し、通常モードに復帰するものである。
【０１３８】
（１２）ヒートポンプコントローラ３２による圧縮機回転数上昇制御（その１）
次に、図１４を参照しながら前述した冷房モード（第１の運転モード）から空調（優先）＋バッテリ冷却モード（第２の運転モード）に移行する際、及び、バッテリ冷却（単独）モード（第１の運転モード）からバッテリ冷却（優先）＋空調モード（第２の運転モード）に移行する際に、ヒートポンプコントローラ３２が実行する圧縮機回転数上昇制御の一例について説明する。尚、図１４は上記の移行の際の両方について纏めて示している。
【０１３９】
前述した冷房モードから空調（優先）＋バッテリ冷却モードに移行した直後は、それらを含む熱交換の経路が増えるため、圧縮機２の能力（回転数）が不足する状態となり、車室内に吹き出される空気の温度が一時的に高くなってしまい、使用者に不快感を与えると共に、バッテリ５５の冷却も遅延するようになる。
【０１４０】
ここで、冷房モードを実行しているときに、例えば、熱媒体温度センサ７６が検出する熱媒体温度Ｔｗが前述した上限値ＴＵＬまで上昇した場合、或いは、バッテリ温度センサ７７が検出するバッテリ温度Ｔｃｅｌｌが所定の上限値まで上昇した場合、バッテリコントローラ７３はバッテリ冷却要求をヒートポンプコントローラ３２や空調コントローラ４５に出力する。例えば、図１４の時刻ｔ１でヒートポンプコントローラ３２にバッテリ冷却要求が入力された場合、これがモード移行要求となり、ヒートポンプコントローラ３２はこの場合の圧縮機回転数上昇制御を開始し、先ず目標吸熱器温度ＴＥＯを所定値ＴＥＯ１だけ低下させる。
【０１４１】
これにより、図１２のＦ／Ｆ操作量演算部８６が算出する圧縮機目標回転数のＦ／Ｆ操作量ＴＧＮＣｃｆｆが上昇していくので、最終的に算出される圧縮機目標回転数ＴＧＮＣｃも通常時の値から上昇していき、圧縮機２の実際の回転数も上昇していく。そして、例えば、図１４の時刻ｔ２で圧縮機目標回転数ＴＧＮＣｃが所定値ＴＧＮＣｃ１まで上昇した場合、又は、時刻ｔ１から所定時間ｔｓ１が経過した場合、ヒートポンプコントローラ３２は電磁弁６９を開き、運転モードを空調（優先）＋バッテリ冷却モードに移行させる。
【０１４２】
このような圧縮機回転数上昇制御を実行することにより、冷房モードから空調（優先）＋バッテリ冷却モードに移行した直後の圧縮機２の能力（回転数）不足を解消し、車室内の空調とバッテリ５５の冷却の両立性を高めて、信頼性と商品性を向上させることができるようになる。尚、移行後の圧縮機２の制御は、前述した空調（優先）＋バッテリ冷却モードでの回転数制御に復帰する。また、前述した如く電磁弁６９と補助膨張弁６８は電磁弁付き膨張弁にて構成しているので、圧縮機２の回転数が上昇した状態で電磁弁６９を開いたときの差圧が軽減され、騒音も抑制される。
【０１４３】
また、バッテリ冷却（単独）モードからバッテリ冷却（優先）＋空調モードに移行した直後も、圧縮機２の能力が不足する状態となるため、車室内の空調が遅延すると共に、バッテリ５５の冷却能力も一時的に低下してしまう。
【０１４４】
ここで、バッテリ冷却（単独）モードを実行しているときに、空調操作部５３の空調スイッチがＯＮされた場合、空調コントローラ４５は空調要求をヒートポンプコントローラ３２に出力する。同じく図１４の時刻ｔ１でヒートポンプコントローラ３２に空調要求が入力された場合、これがモード移行要求となり、ヒートポンプコントローラ３２はこの場合の圧縮機回転数上昇制御を開始し、先ず目標熱媒体温度ＴＷＯを所定値ＴＷＯ１だけ低下させる。
【０１４５】
これにより、図１３のＦ／Ｆ操作量演算部９２が算出する圧縮機目標回転数のＦ／Ｆ操作量ＴＧＮＣｃｂｆｆが上昇していくので、最終的に算出される圧縮機目標回転数ＴＧＮＣｃｂも通常時の値から上昇していき、圧縮機２の実際の回転数も上昇していく。そして、例えば、図１４の時刻ｔ２で圧縮機目標回転数ＴＧＮＣｃｂが所定値ＴＧＮＣｃｂ１まで上昇した場合、ヒートポンプコントローラ３２は電磁弁３５を開き、運転モードをバッテリ冷却（優先）＋空調モードに移行させる。
【０１４６】
このような圧縮機回転数上昇制御実行することにより、バッテリ冷却（単独）モードからバッテリ冷却（優先）＋空調モードに移行した直後の圧縮機２の能力（回転数）不足を解消し、バッテリ５５の冷却と車室内の空調の両立性を高めて、信頼性と商品性を向上させることができるようになる。尚、移行後の圧縮機２の制御は、前述したバッテリ冷却（優先）＋空調モードでの回転数制御に復帰する。また、前述した如く電磁弁３５と室内膨張弁８は電磁弁付き膨張弁にて構成しているので、圧縮機２の回転数が上昇した状態で電磁弁３５を開いたときの差圧が軽減され、騒音も抑制される。
【０１４７】
また、実施例ではヒートポンプコントローラ３２が、冷房モードとバッテリ冷却（単独）モードにおいて、吸熱器９と冷媒−熱媒体熱交換器６４のうちの何れか一方で冷媒を蒸発させると共に、空調（優先）＋バッテリ冷却モードと、バッテリ冷却（優先）＋空調モードにおいては、吸熱器９及び冷媒−熱媒体熱交換器６４で冷媒を蒸発させるようにしたので、冷房モードとバッテリ冷却（単独）モードでは車室内の冷房とバッテリ５５の冷却をそれぞれ行い、空調（優先）＋バッテリ冷却モードと、バッテリ冷却（優先）＋空調モードでは車室内を冷房しながらバッテリ５５の冷却を行うことができるようになる。
【０１４８】
そして、実施例では冷房モードから空調（優先）＋被温調対象冷却モードに移行する際、及び、バッテリ冷却（単独）モードからバッテリ冷却（優先）＋空調モードに移行する際、圧縮機回転数上昇制御を実行するようにしているので、冷房モードから空調（優先）＋バッテリ冷却モードに移行した直後に車室内に吹き出される空気の温度が上昇し、使用者が不快感を覚える不都合や、バッテリ冷却（単独）モードからバッテリ冷却（優先）＋空調モードに移行した直後にバッテリ５５の冷却性能が低下する不都合を未然に回避して、車室内の空調とバッテリ５５の冷却の両立性を高めることができるようになる。
【０１４９】
この場合、実施例では吸熱器９への冷媒の流通を制御する電磁弁３５と、冷媒−熱媒体熱交換器６４への冷媒の流通を制御する電磁弁６９を設け、ヒートポンプコントローラ３２が、冷房モードとバッテリ冷却（単独）モードにおいて、電磁弁３５と電磁弁６９のうちの何れか一方を開き、他方を閉じると共に、空調（優先）＋バッテリ冷却モードと、バッテリ冷却（優先）＋空調モードにおいては、電磁弁３５及び電磁弁６９を開くようにしたので、各運転モードを円滑に実行することができるようになる。
【０１５０】
更に、実施例では電磁弁３５を開いて吸熱器温度Ｔｅで圧縮機２の回転数を制御し、電磁弁６９を閉じる冷房モードと、電磁弁６９を開いて熱媒体温度Ｔｗで圧縮機２の回転数を制御し、電磁弁３５を閉じるバッテリ冷却（単独）モードを実行するようにしているので、車室内の冷房と、バッテリ５５の冷却を円滑に行うことができるようになる。
【０１５１】
また、実施例では電磁弁３５を開き、吸熱器温度Ｔｅで圧縮機２の回転数を制御し、熱媒体温度Ｔｗで電磁弁６９を開閉制御する空調（優先）＋バッテリ冷却モードと、電磁弁６９を開き、熱媒体温度Ｔｗで圧縮機２の回転数を制御し、吸熱器温度Ｔｅで電磁弁３５を開閉制御するバッテリ冷却（優先）＋空調モードを実行するようにしているので、車室内の冷房を行いながらバッテリ５５の冷却を行うなかで、状況に応じて車室内の冷房を優先するか、バッテリ５５の冷却を優先するかを切り換え、快適な車室内冷房と効果的なバッテリ５５の冷却を実現することができるようになる。
【０１５２】
また、この実施例の如く圧縮機回転数上昇制御で、Ｆ／Ｆ操作量演算部８６、９２に入力される目標吸熱器温度ＴＥＯや目標熱媒体温度ＴＷＯを低下させることにより、圧縮機目標回転数ＴＧＮＣｃやＴＧＮＣｃｂを上昇させるようにすれば、冷房モードやバッテリ冷却（単独）モードにおいて、圧縮機回転数上昇制御により的確に圧縮機２の回転数を上昇させることができるようになる。
【０１５３】
更に、実施例の如く冷房モードや、バッテリ冷却（単独）モードにおいて、バッテリ冷却要求や空調要求（何れもモード移行要求）が入力された場合、ヒートポンプコントローラ３２が圧縮機回転数上昇制御により圧縮機２の回転数を上昇させた後、空調（優先）＋バッテリ冷却モードや、バッテリ冷却（優先）＋空調モードに移行するようにすれば、空調（優先）＋バッテリ冷却モードやバッテリ冷却（優先）＋空調モードに移行する前に、確実に圧縮機２の回転数を上昇させておくことができるようになる。
【０１５４】
（１３）ヒートポンプコントローラ３２による圧縮機回転数上昇制御（その２）
次に、前述した冷房モード（第１の運転モード）から空調（優先）＋バッテリ冷却モード（第２の運転モード）に移行する際に、ヒートポンプコントローラ３２が実行する圧縮機回転数上昇制御の他の実施例について説明する。冷房モードにおいて走行用モータの出力Ｍｐｏｗｅｒが高くなった場合には、バッテリ５５の温度が上昇するため、その後、バッテリ冷却要求が出されて空調（優先）＋バッテリ冷却モードに移行することが予想される。
【０１５５】
そこで、ヒートポンプコントローラ３２は、走行用モータの出力Ｍｐｏｗｅｒが所定の閾値Ｍｐｏｗｅｒ１以上となった場合、前述した圧縮機回転数上昇制御（目標吸熱器温度ＴＥＯを下げる）を実行する。これにより、空調（優先）＋バッテリ冷却モードに移行する前に、圧縮機２の回転数を上昇させておき、移行直後の車室内の空調とバッテリ５５の冷却の両立性を高めることが可能となる。特に、この場合にはバッテリ冷却要求が入力される前に圧縮機２の回転数を上昇させておくことができるので、早期に空調（優先）＋バッテリ冷却モードに移行することができる。
【０１５６】
（１４）ヒートポンプコントローラ３２による圧縮機回転数上昇制御（その３）
次に、図１５を参照しながら前述した冷房モード（第１の運転モード）から空調（優先）＋バッテリ冷却モード（第２の運転モード）に移行する際に、ヒートポンプコントローラ３２が実行する圧縮機回転数上昇制御のもう一つの他の実施例について説明する。
【０１５７】
冷房モードにおいて、走行用モータの出力Ｍｐｏｗｅｒが急激に上昇しているときや、バッテリ温度Ｔｃｅｌｌが急激に上昇しているとき、バッテリ５５の発熱量が急激に上昇しているときにも、その後、空調（優先）＋バッテリ冷却モードに移行することが予想される。ヒートポンプコントローラ３２は、例えば図１５の時刻ｔ３で、走行用モータの出力Ｍｐｏｗｅｒが上昇する傾きが所定の閾値Ｘ１以上となった場合、又は、バッテリ温度Ｔｃｅｌｌが情報する傾きが所定の閾値Ｘ２以上となった場合、若しくは、バッテリ５５の発熱量が所定の閾値Ｘ３以上となった場合、ヒートポンプコントローラ３２はこの場合の圧縮機回転数上昇制御を開始し、先ず目標熱吸熱器温度ＴＥＯを所定値ＴＥＯ１だけ低下させる。尚、上記各閾値Ｘ１〜Ｘ３は予め実験により求めた値である。
【０１５８】
これにより、前述同様に圧縮機目標回転数ＴＧＮＣｃが上昇していくので、圧縮機２の実際の回転数（実回転数）も上昇していく。ヒートポンプコントローラ３２は、圧縮機目標回転数ＴＧＮＣｃを所定値ＴＧＮＣｃ１まで上昇させる。その後、時刻ｔ４でバッテリ冷却要求が入力されたら、ヒートポンプコントローラ３２は空調（優先）＋バッテリ冷却モードに移行し、この場合は時刻ｔ５まで運転モード切換処理を行う。そして、この運転モード切換処理中に電磁弁６９を開く。
【０１５９】
このような圧縮機回転数上昇制御により、冷房モードから空調（優先）＋バッテリ冷却モードに移行した直後の圧縮機２の能力（回転数）不足を解消し、車室内の空調とバッテリ５５の冷却の両立性を高めて、信頼性と商品性を向上させることができるようになる。特に、この場合もバッテリ冷却要求が入力される前に圧縮機２の回転数を上昇させておくことができるので、早期に空調（優先）＋バッテリ冷却モードに移行することができる。尚、移行後の圧縮機２の制御は、前述した空調（優先）＋バッテリ冷却モードでの回転数制御に復帰する。
【０１６０】
（１５）ヒートポンプコントローラ３２による圧縮機回転数上昇制御（その４）
また、冷房モードを実行しているときに、例えば高速道路での高速走行が継続された場合にも、その後、バッテリ５５の温度が上昇して空調（優先）＋バッテリ冷却モードに移行することが予想される。そこで、ヒートポンプコントローラ３２は、冷房モードにおいてＧＰＳナビゲーション装置７４から得られるナビゲーション情報が、例えば、今後高速道路を走ることを示していて、バッテリ５５の温度が上昇すると予測される場合、前述した圧縮機回転数上昇制御（目標吸熱器温度ＴＥＯを下げる）を実行する。
【０１６１】
これにより、バッテリ冷却要求が入力される前に圧縮機２の回転数を上昇させておくことができるようになるので、早期に空調（優先）＋バッテリ冷却モードに移行することができるようになる。
【０１６２】
尚、ヒートポンプコントローラ３２は前述した（１２）の圧縮機回転数上昇制御に代えて、（１３）〜（１５）の圧縮機回転数上昇制御を実行するものであるが、（１３）〜（１５）の圧縮機回転数上昇制御は、それらの何れか、又は、それらの組み合わせ、若しくは、それらの全てを実行するものとする。
【０１６３】
（１６）圧縮機回転数上昇制御を実行するときの車室内過剰冷房の抑制制御
ここで、冷房モードにおいて圧縮機２の回転数を上昇させると、空調（優先）＋バッテリ冷却モードに移行する前の期間、即ち、図１４の時刻ｔ１〜ｔ２の期間や、図１５の時刻ｔ３〜ｔ４の期間は車室内に吹き出される空気の温度が低下する。
【０１６４】
そこで、ヒートポンプコントローラ３２は、冷房モードから空調（優先）＋バッテリ冷却モードに移行する際の圧縮機回転数上昇制御を実行する場合、室内送風機２７の運転を抑制する。即ち、室内送風機２７の回転数を低下させることで、車室内が過剰に冷房される不都合を解消する。
【０１６５】
（１７）圧縮機回転数上昇制御を実行するときの吹出温度の低下抑制制御
上記に代えて、若しくは、上記に加えて、圧縮機回転数上昇制御を実行する場合、ヒートポンプコントローラ３２がエアミックスダンパ２８を制御し、放熱器４に通風する空気の割合を高くするようにしてもよい。これにより、車室内に供給される空気の温度低下が抑制されるので、車室内が過剰に冷房される不都合を解消することができるようになる。
【０１６６】
尚、前述した実施例では熱媒体温度Ｔｗを被温調対象の温度を示す指標として採用したが、バッテリ温度Ｔｃｅｌｌを採用してもよい。また、実施例では熱媒体を循環させてバッテリ５５の温調を行うようにしたが、それに限らず、冷媒とバッテリ５５（被温調対象）を直接熱交換させるようにしてもよい。
【０１６７】
また、実施例では車室内の冷房とバッテリ５５の冷却を同時に行う空調（優先）＋バッテリ冷却モードとバッテリ冷却（優先）＋空調モードで車室内を冷房しながらバッテリ５５を冷却することができる車両用空気調和装置１で説明したが、バッテリ５５の冷却は冷房中に限らず、他の空調運転、例えば前述した除湿暖房モードとバッテリ５５の冷却を同時に行うようにしてもよい。その場合には除湿暖房モードも本発明における空調（単独）モードとなり、電磁弁６９を開き、冷媒配管１３Ｆを経て吸熱器９に向かう冷媒の一部を分岐配管６７に流入させ、冷媒−熱媒体熱交換器６４に流すことになる。
【０１６８】
更に、実施例では電磁弁３５を吸熱器用弁装置、電磁弁６９を被温調対象用弁装置としたが、室内膨張弁８や補助膨張弁６８を全閉可能な電動弁にて構成した場合には、各電磁弁３５や６９は不要となり、室内膨張弁８が本発明における吸熱器用弁装置となり、補助膨張弁６８が被温調対象用弁装置となる。
【０１６９】
更にまた、実施例では吸熱器９と冷媒−熱媒体熱交換器６４を本発明における蒸発器としたが、請求項１の発明はそれに限らず、例えば車室内に供給される空気を冷却するメインの蒸発器（実施例の吸熱器９）の他に、もう一つの蒸発器（リアシート用蒸発器等、車室内の他の箇所の冷房、若しくは、車室外の車両の他の箇所を冷却するための蒸発器）を備えた車両用空気調和装置にも有効である。
【０１７０】
その場合、メインの蒸発器と、もう一つの蒸発器（リアシート用蒸発器等）のうちの何れかで冷媒を蒸発させる運転モードが本発明における第１の運転モードとなり、双方の蒸発器で冷媒を蒸発させる運転モードが第２の運転モードとなる。
【０１７１】
また、請求項１の発明は、実施例の吸熱器９と冷媒−熱媒体熱交換器６４に加えて、もう一つの蒸発器（リアシート用蒸発器等）を設けた車両用空気調和装置にも有効である。その場合には、実施例と上記の組み合わせの他に、例えば、吸熱器９と、もう一つの蒸発器（リアシート用蒸発器等）で冷媒を蒸発させる運転モードが本発明における第１の運転モードとなり、吸熱器９と、もう一つの蒸発器（リアシート用蒸発器等）と、冷媒−熱媒体熱交換器６４で冷媒を蒸発させる運転モードが本発明における第２の運転モードとなる。
【０１７２】
更に、実施例で説明した冷媒回路Ｒの構成や数値はそれに限定されるものでは無く、本発明の趣旨を逸脱しない範囲で変更可能であることは云うまでもない。更にまた、実施例では暖房モード、除湿暖房モード、除湿冷房モード、冷房モード、空調（優先）＋バッテリ冷却モード等の各運転モードを有する車両用空気調和装置１で本発明を説明したが、それに限らず、例えば冷房モード、空調（優先）＋バッテリ冷却モード、バッテリ冷却（優先）＋空調モード、バッテリ冷却（単独）モードを実行可能とされた車両用空気調和装置にも本発明は有効である。
【符号の説明】
【０１７３】
１  車両用空気調和装置
２  圧縮機
３  空気流通路
４  放熱器
６  室外膨張弁
７  室外熱交換器
８  室内膨張弁
９  吸熱器（蒸発器）
１１  制御装置
３２  ヒートポンプコントローラ（制御装置の一部を構成）
３５  電磁弁（吸熱器用弁装置）
４５  空調コントローラ（制御装置の一部を構成）
５５  バッテリ（被温調対象）
６１  機器温度調整装置
６４  冷媒−熱媒体熱交換器（蒸発器、被温調対象用熱交換器）
６８  補助膨張弁
６９  電磁弁（被温調対象用弁装置）
７２  車両コントローラ
７３  バッテリコントローラ
７７  バッテリ温度センサ
７６  熱媒体温度センサ
Ｒ  冷媒回路
【図１】
2020083099.tif 000003
【図２】
2020083099.tif 000004
【図３】
2020083099.tif 000005
【図４】
2020083099.tif 000006
【図５】
2020083099.tif 000007
【図６】
2020083099.tif 000008
【図７】
2020083099.tif 000009
【図８】
2020083099.tif 000010
【図９】
2020083099.tif 000011
【図１０】
2020083099.tif 000012
【図１１】
2020083099.tif 000013
【図１２】
2020083099.tif 000014
【図１３】
2020083099.tif 000015
【図１４】
2020083099.tif 000016
【図１５】
2020083099.tif 000017